(57)【要約】      （修正有）【課題】本開示はゴルフバッグに関する。【解決手段】ゴルフバッグ１０は、分割体上部３０と、基部３４と、を備える折り畳み式のサブアセンブリ４２と、分割体上部の外周に設けられる複数の第１のスナップフィット連結器と、基部の端の反対側の分割体上部の端、内側部、及び、外側部を有する平坦部であって、分割体上部の端に沿って設けられる複数の第２のスナップフィット連結器を備える、平坦部と、を備える。平坦部は、分割体上部の周りの複数の第１のスナップフィット連結器を、分割体上部の端に沿う複数の第２のスナップフィット連結器に嵌合するスナップフィット係合によって、サブアセンブリに取り付けられる。【選択図】図２
2019107495.tif 000002
【特許請求の範囲】
【請求項１】
ゴルフバッグのためのセルフアセンブリキットであって、
一端においてゴルフバッグ分割体上部に回動可能に連結され、反対側の端においてゴルフバッグ基部に回動可能に連結される支柱を備える折り畳み式ゴルフバッグと、
外側シェルと、
前記ゴルフバッグを折り畳み状態から展開状態へと組立てるためのセルフアセンブリシステムと、
を備えるセルフアセンブリキット。
【請求項２】
前記セルフアセンブリシステムは、前記ゴルフバッグに連結される脚を付勢するように構成されるバネを前記ゴルフバッグ基部に組み付けるためのバネセルフアセンブリシステムを備える、請求項１に記載のセルフアセンブリキット。
【請求項３】
前記バネセルフアセンブリシステムは、一端に配置される連結器を有するバネを備え、
前記連結器は、前記バネを前記基部に取り付けるために、前記基部と係合するように構成される、請求項２に記載のセルフアセンブリキット。
【請求項４】
前記バネは、複数の前記脚に回動可能に連結される、請求項３に記載のセルフアセンブリキット。
【請求項５】
前記複数の脚は、前記分割体上部に回動可能に連結される、請求項４に記載のセルフアセンブリキット。
【請求項６】
前記セルフアセンブリシステムは、複数の脚を前記ゴルフバッグ基部へと組み付けるための脚セルフアセンブリシステムを備える、請求項１に記載のセルフアセンブリキット。
【請求項７】
前記脚セルフアセンブリシステムは、脚位置合わせ補助体に連結され、前記脚位置合わせ補助体によって離間される複数の脚を備え、
前記複数の脚は、前記分割体上部に係合するように構成される、請求項６に記載のセルフアセンブリキット。
【請求項８】
前記複数の脚のそれぞれは、エンドキャップを備え、
前記エンドキャップは、取り外し可能なピンを保持する、請求項７に記載のセルフアセンブリキット。
【請求項９】
前記取り外し可能なピンは、前記エンドキャップが前記分割体上部と連結する前において、前記エンドキャップを係合しておらず、前記エンドキャップが前記分割体上部と連結した後において、前記エンドキャップと前記分割体上部とを再係合するように構成される、請求項８に記載のセルフアセンブリキット。
【請求項１０】
前記分割体上部は搭載ブラケットを備え、
前記搭載ブラケットは、前記各脚の前記エンドキャップを受容するように構成される複数の搭載通路を画定する、請求項９に記載のセルフアセンブリキット。
【請求項１１】
前記取り外し可能なピンは、前記エンドキャップが前記搭載通路のそれぞれと連結する前において、前記エンドキャップを係合しておらず、前記エンドキャップが前記搭載ブラケットと連結した後において、前記エンドキャップと前記搭載通路のそれぞれとを再係合するように構成される、請求項１０に記載のセルフアセンブリキット。
【請求項１２】
前記ピンは、各脚を前記搭載ブラケットに連結する、請求項１１に記載のセルフアセンブリキット。
【請求項１３】
前記脚セルフアセンブリシステムは、複数の脚を備え、
前記各脚は、多構成部品エンドキャップの第１の部分を備え、
前記第１の部分は、前記搭載ブラケットに連結される前記多構成部品エンドキャップの第２の嵌合部分に連結するように構成される、請求項６に記載のセルフアセンブリキット。
【請求項１４】
前記多構成部品エンドキャップの前記第２の嵌合部分は、前記搭載ブラケットに回動可能に連結される、請求項１３に記載のセルフアセンブリキット。
【請求項１５】
前記多構成部品エンドキャップの前記第１の部分と前記第２の部分とが、スナップフィット連結によって連結するように構成される、請求項１３に記載のセルフアセンブリキット。
【請求項１６】
前記分割体上部は、ヒンジによって前記支柱に回動可能に連結される、請求項１に記載のセルフアセンブリキット。
【請求項１７】
前記ヒンジは、前記ヒンジの回動距離を制限するヒンジ制限部を備える、請求項１６に記載のセルフアセンブリキット。
【請求項１８】
前記ヒンジ制限部は、前記ヒンジに連結される前記支柱と前記分割体上部との間に形成される平角を超えないように、前記回動距離を制限するように構成される、請求項１７に記載のセルフアセンブリキット。
【請求項１９】
前記折り畳み式ゴルフバッグ及び前記セルフアセンブリシステムは、箱に格納されて出荷されるように構成される、請求項１に記載のセルフアセンブリキット。
【請求項２０】
前記箱は、セルフアセンブリの取扱説明を提供する前記箱に印刷された表示を含む、請求項１９に記載のセルフアセンブリキット。
【請求項２１】
前記表示は少なくとも１つの図を含む、請求項２０に記載のセルフアセンブリキット。
【請求項２２】
第１のヒンジによって支柱の第１の端に回動可能に連結される分割体上部、と、
第２のヒンジによって前記支柱の第２の端に回動可能に連結される基部と、
前記分割体上部及び前記基部に連結される外側シェルであって、少なくとも１つのショルダーストラップを備える外側シェルと、
を備え、
前記分割体上部及び前記基部が前記支柱の周りで回動されている折り畳み構成で出荷されるように構成される、折り畳み式ゴルフバッグ。
【請求項２３】
前記第１のヒンジは、第２のアームに回動可能に連結される第１のアームを備える、請求項２２に記載の折り畳み式ゴルフバッグ。
【請求項２４】
前記第１のアームは前記分割体上部に結合され、
前記第２のアームは前記支柱に結合される、請求項２３に記載の折り畳み式ゴルフバッグ。
【請求項２５】
前記第１のアームは、前記第１のアーム及び前記第２のアームの回動距離を制限するために、前記第２のアームと協働するように構成される、請求項２３に記載の折り畳み式ゴルフバッグ。
【請求項２６】
前記第１のアームは、前記第２のアームに対する前記第１のアームの回動距離が、前記第１のアームと前記第２のアームとの間で形成される平角を超えないように制限するために、前記第２のアームと協働するように構成される、請求項２３に記載の折り畳み式ゴルフバッグ。
【請求項２７】
前記第１のアーム又は前記第２のアームの一方は突起を備え、
前記第２のアーム又は及び前記第１のアームの他方は切り欠きを備え、
前記突起は、前記第１のアーム及び前記第２のアームの回動角度を制限するために前記切り欠きを受容するように構成される、請求項２３に記載の折り畳み式ゴルフバッグ。
【請求項２８】
ゴルフバッグをセルフアセンブリする方法であって、
分割体上部を、第１のヒンジを介して、折り畳み構成から展開構成まで支柱の周りで回動させる第１の回動ステップと、
基部を、第２のヒンジを介して、折り畳み構成から展開構成まで前記支柱の周りで回動させる第２の回動ステップと、
スタンドアセンブリの一部を、搭載ブラケット又は前記基部の一方に取付ける取付けステップと、
を備える、前記ゴルフバッグをセルフアセンブリする方法。
【請求項２９】
前記方法は、さらに、
前記第１の回動ステップの前に、折り畳み構成における前記ゴルフバッグを出荷箱から取り出すステップを備える、請求項２８に記載の方法。
【請求項３０】
前記方法は、さらに、
前記出荷箱に印刷されている組立の取扱説明を、読み取り可能な向きに向けるステップを備える、請求項２９に記載の方法。
【請求項３１】
前記取付けステップは、さらに、バネを前記基部に結合するステップを備える、請求項２８に記載の方法。
【請求項３２】
前記取付けステップは、さらに、複数の脚を前記搭載ブラケットに固定するステップを備える、請求項２８に記載の方法。
【請求項３３】
前記取付けステップは、さらに、
前記複数の脚のうちの少なくとも１つの脚のエンドキャップに保持されるピンを取り外すステップと、
前記エンドキャップを前記搭載ブラケットに位置合わせするステップと、
前記エンドキャップを前記搭載ブラケットに連結させるために、前記ピンを、前記搭載ブラケットの一部と前記エンドキャップの一部とを通過して挿入するステップと、
を備える、請求項３２に記載の方法。
【請求項３４】
前記ピンは、前記エンドキャップと前記搭載ブラケットとの間に回動可能な連結を形成する、請求項３３に記載の方法。
【請求項３５】
前記取付けステップは、さらに、
前記複数の脚のうちの少なくとも１つの脚によって保持されるエンドキャップの第１の部分を、前記搭載ブラケットによって担持される前記エンドキャップの第２の部分に位置合わせするステップと、
前記エンドキャップの前記第１の部分を、前記エンドキャップの前記第２の部分に挿入するステップと、
前記エンドキャップの前記第１の部分と前記第２の部分とをスナップフィット連結によって連結するステップと
を備える、請求項３２に記載の方法。
【請求項３６】
前記方法は、さらに、
前記スタンドアセンブリが備えるバネの周りにおいて、前記ゴルフバッグの外側シェルに結合されるストラップを連結するステップを備える、請求項２８に記載の方法。
【請求項３７】
折り畳み式ゴルフバッグを製作する方法であって、
サブアセンブリを外側シェルに挿入する挿入ステップであって、前記サブアセンブリは、分割体上部と、基部と、前記分割体上部に結合され、前記基部に向かって延びる分割体スリーブと、を備え、前記分割体スリーブは、前記分割体スリーブに連結される複数の可撓性連結部材によって前記基部に結合され、前記分割体スリーブは、前記基部から延びる下縁を備える、前記挿入ステップと、
支柱が前記分割体上部と前記基部との間で延びるように、前記支柱を前記サブアセンブリに結合する結合ステップであって、前記分割体上部が第１のヒンジによって前記支柱に回動可能に連結されており、前記基部が第２のヒンジによって前記支柱に回動可能に連結されている、前記結合ステップと、
を備える、前記折り畳み式ゴルフバッグを製作する方法。
【請求項３８】
前記挿入ステップの後に、前記サブアセンブリを前記外側シェルに固定する固定ステップを備える、請求項３７に記載の前記ゴルフバッグを製作する方法。
【請求項３９】
前記固定ステップは、さらに、前記基部及び前記分割体上部において、前記サブアセンブリを前記外側シェルに固定するステップを備える、請求項３８に記載の前記ゴルフバッグを製作する方法。
【請求項４０】
前記折り畳み式ゴルフバッグを製作する方法は、さらに、
折り畳み構成であって、前記分割体上部及び前記基部の一方が前記支柱の周りで回動している前記ゴルフバッグを出荷箱に挿入するステップと、
使用者によるセルフアセンブリのために、スタンドアセンブリを前記出荷箱に挿入するステップと、
を備える、請求項３７に記載の前記ゴルフバッグを製作する方法。
【請求項４１】
前記折り畳み式ゴルフバッグを製作する方法は、さらに、
使用者によるセルフアセンブリのために、前記出荷箱に取扱説明を含ませるステップを備える、請求項４０に記載の前記ゴルフバッグを製作する方法。
【請求項４２】
前記折り畳み式ゴルフバッグを製作する方法は、さらに、
使用者によるセルフアセンブリのために、取扱説明を前記出荷箱に印刷するステップを備える、請求項４０に記載の前記ゴルフバッグを製作する方法。
【請求項４３】
分割体上部と、基部と、を備える折り畳み式のサブアセンブリと、
前記分割体上部の外周に設けられる複数の第１のスナップフィット連結器と、
前記基部の端の反対側の前記分割体上部の端、内側部、及び、外側部を有する平坦部であって、前記分割体上部の端に沿って設けられる複数の第２のスナップフィット連結器を備える、前記平坦部と、
を備え、
前記平坦部は、前記分割体上部の周りの前記複数の第１のスナップフィット連結器を、前記分割体上部の端に沿う前記複数の第２のスナップフィット連結器に嵌合するスナップフィット係合によって、前記サブアセンブリに取り付けられる、ゴルフバッグ。
【請求項４４】
前記分割体上部にヒンジ式に連結される支柱をさらに備える、請求項４３に記載のゴルフバッグ。
【請求項４５】
前記分割体上部は、前記支柱に対して９０度まで回動するように構成される、請求項４４に記載のゴルフバッグ。
【請求項４６】
前記支柱は、前記基部にヒンジ式に連結される、請求項４４に記載のゴルフバッグ。
【請求項４７】
前記基部は、前記支柱に対して９０度まで回動するように構成される、請求項４６に記載のゴルフバッグ。
【請求項４８】
前記ゴルフバッグは、さらに、搭載通路と、前記搭載通路へと延びる保持部材と、を備える脚搭載ブラケットを備え、
前記分割体上部の外側環体は開口を画定し、
さらに、前記外側環体は前記搭載通路に受容され、前記開口は前記保持部材を受容する、請求項４３に記載のゴルフバッグ。
【請求項４９】
前記脚搭載ブラケットは複数の脚アンカーを備える、請求項４８に記載のゴルフバッグ。
【請求項５０】
前記ゴルフバッグは、さらに、
前記平坦部に取り外し可能に取り付けられる少なくとも１つのポケットを備える、請求項４９に記載のゴルフバッグ。
【請求項５１】
前記ゴルフバッグは、さらに、
前記複数の脚アンカーのうちの１つの前記脚アンカーとスナップフィット連結を形成するエンドキャップを備える、請求項４９に記載のゴルフバッグ。
【請求項５２】
前記エンドキャップは、回動軸を画定する一対の対向する突出部を備え、
前記突出部は、前記エンドキャップと前記脚アンカーとの間にスナップフィット連結を提供するように、前記脚アンカーの搭載部に受容される、請求項５１に記載のゴルフバッグ。
【請求項５３】
前記平坦部は、少なくとも１つの開口を画定し、
前記少なくとも１つの開口は、前記複数の脚アンカーのうちの１つの前記脚アンカーを受容するように構成される、請求項５２に記載のゴルフバッグ。
【請求項５４】
分割体上部であって、前記分割体上部の周囲を画定する外側環体、及び、複数の開口を有する、前記分割体上部と、
搭載通路、及び、前記搭載通路へと延びる複数の保持部材を有する脚搭載ブラケットと、
を備え、
スナップフィット連結を形成するために、前記外側環体が前記搭載通路に受容され、前記複数の開口の各々が前記複数の保持部材のうちの１つを受容する、ゴルフバッグのサブアセンブリ。
【請求項５５】
前記脚搭載ブラケットは、前記搭載通路を画定する前部、及び、後部を備え、
前記複数の保持部材のうちの少なくとも１つが、前記前部から前記搭載通路へと延び、前記複数の保持部材の少なくとも１つが、前記後部から前記搭載通路へと延びる、請求項５４に記載のサブアセンブリ。
【請求項５６】
前記搭載通路は、前記外側環体の形状と相補的な形状を有する、請求項５５に記載のサブアセンブリ。
【請求項５７】
前記搭載通路は弓形を有する、請求項５５に記載のサブアセンブリ。
【請求項５８】
前記脚搭載ブラケットは、脚を回動可能に保持するように構成される脚アンカーを備える、請求項５５に記載のサブアセンブリ。
【請求項５９】
前記脚は、回動軸を画定する一対の対向する突出部を有するエンドキャップを備え、
前記脚アンカーの搭載部は、前記エンドキャップと前記脚アンカーとの間にスナップフィット連結を提供するために、前記突出部を受容するように構成される、請求項５８に記載のサブアセンブリ。
【請求項６０】
前記脚アンカーの前記搭載部は、前記エンドキャップと前記脚アンカーとの間に回動可能な連結を提供して、前記脚アンカーが前記回動軸の周りで回動することを容易にするために、前記突出部を受容するように構成される、請求項５９に記載のサブアセンブリ。
【請求項６１】
一対の脚をゴルフバッグに連結するためのスナップフィットブラケットであって、
脚搭載ブラケットであって、前記脚搭載ブラケットの前部に設けられる一対の脚アンカーを有する、前記脚搭載ブラケットと、
前記一対の脚であって、前記各脚は、回動軸を画定する一対の対向する突出部を有するエンドキャップを備え、前記各脚は、前記エンドキャップと前記脚アンカーとの間にスナップフィット連結を提供するように構成される、前記一対の脚と、
を備えるスナップフィットブラケット。
【請求項６２】
前記スナップフィットブラケットは、さらに、
前記各脚アンカーに設けられる搭載部を備え、
前記各脚アンカーの前記搭載部は、前記エンドキャップと前記脚アンカーとの間に回動可能な連結を提供して、前記脚アンカーが前記回動軸の周りで回動することを容易にするために、前記突出部を受容するように構成される、請求項６１に記載のスナップフィットブラケット。
【請求項６３】
前記各脚アンカーの前記搭載部は、前記エンドキャップと前記脚アンカーとの間にスナップフィット連結を提供するために、前記突出部を受容するように構成される、請求項６２に記載のスナップフィットブラケット。
【請求項６４】
前記搭載部は搭載通路である、請求項６３に記載のスナップフィットブラケット。
【請求項６５】
前記搭載部は搭載開口である、請求項６３に記載のスナップフィットブラケット。
【請求項６６】
分割体上部と、周囲を画定する基部と、前記周囲の周りで前記基部を貫通する複数の第１の開口と、を備える折り畳み式のサブアセンブリと、
前記基部の端と反対側の前記分割体上部の端を備える平坦部であって、前記基部の端に沿って前記平坦部を貫通する複数の第２の開口を備える、前記平坦部と、
複数のスナップツリー部材を有する帯片と、を備え、
前記平坦部は、前記第１の開口を前記第２の開口と位置合わせするために、前記基部の一部と重なるように構成され、位置合わせされた前記第１の開口及び前記第２の開口の各々は、前記平坦部を前記基部に結合するために、前記複数のスナップツリー部材のうちの１つの前記スナップツリー部材を受容するように構成される、
ゴルフバッグ。
【請求項６７】
前記分割体上部によって画定される周囲を貫通する複数の第３の開口と、
前記分割体上部の端に沿って前記平坦部を貫通する複数の第４の開口と、
複数の第２のスナップツリー部材を有する第２の帯片と、を備え、
前記平坦部は、前記第３の開口を前記第４の開口と位置合わせするために、前記分割体上部の一部と重なるように構成され、位置合わせされた前記第３の開口及び前記第４の開口の各々は、前記平坦部を前記分割体上部に結合するために、前記複数の第２のスナップツリー部材のうちの１つの前記第２のスナップツリー部材を受容するように構成される、請求項６６に記載のゴルフバッグ。
【請求項６８】
分割体スリーブが、前記分割体上部と前記基部とを相互連結する、請求項６６に記載のゴルフバッグ。
【請求項６９】
複数の前記第１の開口は、ダイカット開口である、請求項６６に記載のゴルフバッグ。
【請求項７０】
複数の前記第２の開口は、ダイカット開口である、請求項６６に記載のゴルフバッグ。
【発明の詳細な説明】
【技術分野】
【０００１】
（関連出願の相互参照）
本書は、２０１５年３月２日に出願された「Sub-Assembly for a Golf Bag and a Golf Bag System for Recipient Self-Assembly,」という名称の米国仮特許出願第６２／１２７，０３３号と、２０１５年４月２２日に出願された「Snap-Fit Assembly for a Golf Bag and a Method of Snap-Fit Assembly,」という名称の米国仮特許出願第６２／１５１，１５５号と、２０１５年８月２８日に出願された「Sub-Assembly for a Golf Bag and a Golf Bag System for Recipient Self-Assembly,」という名称の米国仮特許出願第６２／２１１，５６８号と、２０１６年２月１６日に出願された「Snap-Fit Assembly for a Golf Bag and a Method of Snap-Fit Assembly,」という名称の米国仮特許出願第６２／２９５，５６７号と、の優先権を主張し、それらの内容は、本明細書によって、それらの全体において参照により組み込まれている。
【０００２】
本開示はゴルフバッグに関する。具体的には、本開示は、複数の構成部品から形成されるゴルフバッグであって、リベットを排除し、バッグアセンブリを単純化するスナップフィット又は他の方法によって相互連結されるゴルフバッグと、包装体積を縮小してより効率的でコスト効果のある出荷をもたらすゴルフバッグに関する。また、本開示は、受取人のセルフアセンブリを可能にするゴルフバッグのサブアセンブリに関する。
【背景技術】
【０００３】
ゴルフバッグは、ゴルフクラブを運ぶために使用される特別に設計されたバッグである。一般的に、ゴルフバッグは、２つの基本的なクラスのうちのどちらかに分類される。第１のクラスは、カートバッグと一般的に称される。カートバッグは、典型的には直径がおおよそ９〜１４インチであり、ゴルフアクセサリ（例えば、ゴルフボール、雨具、距離計等）を保管するための複数のポケットを含み、通常、皮革又は合成皮革を含む比較的に硬く、重量のある材料で製作される。その実質的な大きさ、重量、及び、ゴルフアクセサリを保管するための容量のため、通常、カートバッグは、ゴルフをプレーする間、ゴルファーによって持ち運ばれない。代わりに、カートバッグは、キャディー、モータ付きカート、手押し車、又は、引っ張りカートによって運ばれる。カートバッグの非限定的な例には、スタッフバッグ又はツアーバッグがある。
【０００４】
ゴルフバッグの第２のクラスは、キャリーバッグと一般的に称される。一般的に、キャリーバッグは、カートバッグより重量が軽い。キャリーバッグは、重量を減らすために、カートバッグより軽量の材料で製作され、より小さい直径を有し得る。いくつかの種類のキャリーバッグがあり、その中には、三脚を形成し、独立して立つ姿勢を容易にするために展開する格納可能な脚を備えるスタンドバッグ、重量をさらに低減するために、ゴルフクラブを受容するがゴルフアクセサリのための最小の保管容量を有する超軽量で可撓性の「スリーブ」であるサンデーバッグがある。
【０００５】
既知のゴルフバッグは、特定の制限を有している。例えば、通常、既知のゴルフバッグは、エンドユーザ又は販売場所への出荷の前に完全に組み立てられる。組み立てられたバッグの大きさを考慮すると、出荷時の包装は、概して５，０００立方インチを超える体積を有する。出荷の包装料金が包装の重量に基づいた料金から包装の大きさに基づいた料金へと移行するために、ゴルフバッグは、過大な包装寸法のための追加料金が発生し、実質的に出荷コストを増加させる。従って、ゴルフバッグを出荷するときの包装体積を縮小することと、エンドユーザ又は販売場所の受取人がゴルフバッグを受け取った後に、エンドユーザ又は販売場所の受取人にゴルフバッグを容易に組み立てさせるためのシステムとｍの必要性がある。
【０００６】
また、両方の種類のゴルフバッグの組立は、バッグの特定の部品（内部及び外部）が異なる工場で製作され、その後に、それらの部品を異なる場所で組み立てる方法で、しばしば実行される。これは、ゴルフバッグの各々の構成部品と、完全に組み立てられたゴルフバッグ自体と、を出荷するために、包装の大きさと包装体積との増加をもたらす。出荷の包装料金が包装の重量に基づいた料金から包装の大きさに基づいた料金へと移行するために、ゴルフバッグ構成部品、アクセサリ、及び、完成した製品は、過大な包装寸法のための追加の料金を発生させ、実質的に出荷コストを増加させる。従って、ゴルフバッグ全体又はゴルフバッグの部品を出荷するための包装体積を縮小することと、縮小された体積の出荷サプライチェーンにおけるゴルフバッグの容易な組立方法と、の必要性がある。
【図面の簡単な説明】
【０００７】
【図１】三脚構成に展開されているスタンドアセンブリを有するゴルフバッグの第１の側の斜視図である。
【図２】図１のゴルフバッグの第１の側と反対側の第２の側の斜視図であって、サブアセンブリを図示するために外側シェルが取り外された状態の図である。
【図３】図２のゴルフバッグの斜視図であって、バッグの持ち運びを容易にするためにスタンドが格納された構成になっているサブアセンブリを示す。
【図４】図３の線４−４に沿って切り取られた図２のゴルフバッグの一部の側面図であって、分割体スリーブを基部に結合する複数の連結部材を備えるサブアセンブリの一部と、スタンドアセンブリが格納された構成にあるときの分割体スリーブと基部との間の隙間と、を示す。
【図５】図４のゴルフバッグの一部の斜視図であって、自己固定係合の態様を描写するための固定が解除されている状態の連結部材を示す。
【図６】図２のゴルフバッグの基部の一部の斜視図であって、ゴルフバッグが、脚が格納されている持ち運び構成の時の分割体スリーブと基部の間の代替の連結を示す。
【図７】図２の線７−７に沿って切り取られた図２のゴルフバッグの一部の斜視図であって、分割体スリーブが取り付けられている分割体上部を示す。
【図８】図７のゴルフバッグの一部の斜視図であって、分割体スリーブが取り外された状態の分割体上部を示す。
【図９】図７のゴルフバッグの一部の斜視図であって、自己固定係合によって分割体上部の一部に連結する分割体スリーブの一部を示す。
【図１０】図７のゴルフバッグの一部の斜視図であって、自己固定係合によって分割体上部の外側環体の一部に連結する分割体スリーブの一部を示す。
【図１１】図３のゴルフバッグサブアセンブリの側面図である。
【図１２】図２の線１２−１２に沿って切り取られた図２のゴルフバッグサブアセンブリの部分斜視図である。
【図１３】図１のゴルフバッグの分割体上部から分離された脚搭載ブラケットの前側の斜視図である。
【図１４】図１３の分割体上部から分離された脚搭載ブラケットの側面斜視図である。
【図１５】図１３の分割体上部から分離された脚搭載ブラケットの後面斜視図である。
【図１６】代替の分割体上部の斜視図である。
【図１７】図１６の分割体上部で使用するための代替の脚搭載ブラケットの後面斜視図である。
【図１８】代替の分割体上部の下面斜視図である。
【図１９】エンドキャップの斜視図である。
【図２０】図１のゴルフバッグの分割体上部の一部の斜視図であって、脚搭載ブラケットが分割体上部とスナップフィット連結しており、エンドキャップが脚に取り付けられ、脚搭載ブラケットの脚アンカーによって受容されている状態である。
【図２１】支柱が取り外されており、第１の構成における上部支柱ヒンジの斜視図である。
【図２２】図２１の上部支柱ヒンジの斜視図であって、支柱の第１の端に連結され、第２の構成にある上部支柱ヒンジの斜視図である。
【図２３】図１のゴルフバッグで使用するための第１のヒンジ連結位置における上部支柱ヒンジの斜視図である。
【図２４】第２のヒンジ非連結位置における図２３の上部支柱ヒンジの斜視図である。
【図２５】支柱の第２の端に連結されている基部支柱ヒンジの斜視図である。
【図２６】図１のゴルフバッグで使用するための基部支柱ヒンジの側面の立面図である。
【図２７】図２６の基部支柱ヒンジの上部の立面図である。
【図２８】図２６の基部支柱ヒンジの側面の立面図であって、ヒンジアームの屈曲を示す。
【図２９】図２１の上部支柱ヒンジの斜視図であって、上部支柱ヒンジが支柱の第１の端に連結されている状態を示す。
【図３０】図１のゴルフバッグの平坦部の外部の斜視図である。
【図３１】図１のゴルフバッグの平坦部の内部の斜視図である。
【図３２】可撓性材料で帯片に成形された複数のスナップツリーによる、平坦部と基部との間の代替のスナップフィット取付具の斜視図である。
【図３３】図３２の平坦部と基部との間の代替のスナップフィット取付の斜視図であって、可撓性材料の帯片が平坦部と基部とを連結している状態を示す。
【図３４】図３３の線３４−３４によって切り取られた、図３２の平坦部と基部との間の代替のスナップフィット取り付けの一部の側面図であって、平坦部及び基部において対応する孔によって受容される１個のスナップツリーを示す。
【図３５】ゴルフバッグのための展開可能ポケットアセンブリの実施形態の斜視図であって、ポケットアセンブリが、展開構成で示されており、靴を収容している。
【図３６】図３５の線３６−３６に沿って切り取られ、展開構成における図３５の展開可能ポケットアセンブリを上から見下ろした図であって、靴が取り除かれた状態の靴ポケットを示す。
【図３７】図３５の展開可能ポケットアセンブリを上から見下ろした図であって、保管構成における靴ポケットを実線で示し、展開構成における靴ポケットを破線で示す。
【図３８】図３５のゴルフバッグの斜視図であって、２つの靴ポケットを展開構成で示す。
【図３９】靴ポケットの側面図である。
【図４０】ゴルフバッグの別の実施形態の第１の側の側面図である。
【図４１】図３８のゴルフバッグの第２の側の側面図である。
【図４２】図３８のゴルフバッグの第１の側と反対の第３の側の側面図である。
【図４３】図３８のゴルフバッグの第２の側と反対の第４の側の側面図である。
【図４４】ポケットが継ぎ目に沿って回動されている図４０のゴルフバッグの側面図である。
【図４５】ポケットが継ぎ目に沿って回動されている図３８のゴルフバッグの側面図である。
【図４６】図３８のゴルフバッグの斜視図であって、ポケットと平坦部との間の防水加工処理が適用される継ぎ目を示す。
【図４７】折り畳み構成における、ゴルフバッグのためのサブアセンブリの実施形態の斜視図である。
【図４８】伸長された構成における図４７のサブアセンブリの斜視図である。
【図４９】図４７のサブアセンブリの斜視図であって、分割体上部とスナップフィット連結されている平坦部の端を示す。
【図５０】図４７のサブアセンブリの斜視図であって、基部とスナップフィット連結されている平坦部の端を示す。
【図５１】図４７のサブアセンブリの斜視図であって、基部とスナップフィット連結されている平坦部の端と、追加のスナップフィット連結と、を示す。
【図５２】図４７のサブアセンブリの斜視図であって、分割体上部と基部との両方とスナップフィット連結されている平坦部と、封止されている平坦部の継ぎ目と、を示す。
【図５３】組立てられたスナップフィットゴルフバッグの斜視図である。
【図５４】分解されたゴルフバッグと、関連するセルフアセンブリシステムと、を出荷するときに使用するための箱の上面の立面図であって、当該箱は、組み立てられたゴルフバッグを出荷するために使用されるより大きな既知の箱の隣に配置されている図である。
【図５５】図５４の箱の側面の立面図であって、当該箱は、組立てられたゴルフバッグを出荷するために使用されるより大きな既知の箱の隣に配置されている。
【図５６】図５４の箱の一部に印刷される表示であり、当該表示は、組立の取扱説明を示す。
【図５７】出荷の間に収容される状態として、折り畳まれ、一部組み立てられた状態のゴルフバッグの斜視図である。
【図５８】図５７のゴルフバッグを組立てるためのセルフアセンブリシステムの実施形態の斜視図である。
【図５９】スタンドアセンブリバネのための連結器、及び、セルフアセンブリを容易にするために連結器と係合する基部の一部の斜視図である。
【図６０】セルフアセンブリの後であって、図５９の連結器が基部と係合している状態の斜視図である。
【図６１】脚セルフアセンブリシステムの一部の斜視図であって、具体的には、それぞれの脚に連結されたエンドキャップであって、図５７のゴルフバッグの搭載ブラケットに脚を連結するための取り外し可能ピンを有するエンドキャップの斜視図である。
【図６２】図６１に示したピンの立面図である。
【図６３】２つの取り外し可能ピンと共に、脚に取り外し可能に連結された位置合わせ補助具の立面図である。
【図６４】図示の目的のために取り付けられた１つの脚と１つのピンとを示す位置合わせ補助具の代替の実施形態の第１の側面の斜視図である。
【図６５】図６４の位置合わせ補助具の第２の側の斜視図である。
【図６６】図５８の脚セルフアセンブリシステムの一部の斜視図であって、脚セルフアセンブリシステムは、組立の間に、ゴルフバッグ搭載ブラケットと位置合わせされ、ゴルフバッグ搭載ブラケットに受容される。
【図６７】図５７のゴルフバッグの一部の斜視図であって、ラッチされていない構成における、バネの一部を包囲するストラップを示す。
【図６８】図５８の脚セルフアセンブリシステムでの使用のための多構成部品エンドキャップの斜視図である。
【図６９】図６８の多構成部品エンドキャップの第１の側の斜視図であって、第２の部品から分離された第１の部品を示す。
【図７０】図６９の多構成部品エンドキャップの第２の側の斜視図である。
【図７１】図６９の多構成部品エンドキャップの第１の部品の斜視図であって、第２の部品を保持するための戻り止めを有する内部を示す。
【図７２】図６８の多構成部品エンドキャップの斜視図であって、セルフアセンブリが完成した脚が搭載ブラケットに取り付けられている状態を示す。
【図７３】図５７のゴルフバッグの一部の斜視図であって、バネを各々の脚に連結するブラケットを示す。
【図７４】図７３のブラケットの第１の斜視図である。
【図７５】図７３のブラケットの第２の斜視図である。
【図７６】折り畳み式であって、部分的に組立てられる図５７のゴルフバッグの組立方法の概略図である。
【発明を実施するための形態】
【０００８】
本開示の任意の実施形態が詳細に説明される前に、本開示は、その適用において、以下の記載に述べているような、又は、図面に示しているような、構成要素の詳細又は構造と配置とに限定されないことは、理解されるべきである。本開示は、他の実施形態を支援でき、様々な方法で実施又は実行できる。特定の実施形態の記載は、本開示を、本開示の趣旨及び範囲内にあるすべての変更、等価、及び代替を網羅しないように限定するように意図されていないことは、理解されるべきである。また、本明細書で使用される表現、専門用語が、説明を目的としたものであり、限定として解釈されるべきでないことも、理解されるものである。
【０００９】
既知のカートバッグ及びキャリーバッグは、特定の共通する構成部品を有している。両方のバッグは、基部と、１つ以上の分割体を有する上部と、少なくとも１つの支柱と、１つ以上の複数の保管ポケットを有する略円筒形の外側シェルと、を備える。少なくとも１つの支柱は、サブアセンブリを画定するために、基部と上部とを相互連結する。次に、サブアセンブリは、ゴルフバッグを画定するために外側筐体に連結される。ゴルフバッグの組立の間、外側シェルと上部とは、周方向に重なるように位置決めされる。次に、複数のリベットが、外側シェルと上部とを締付けるために、上部周辺の周りに配置される。同様に、外側シェルと基部も、周方向に重なるように位置決めされ、次に、複数のリベットが、外側シェルと基部とを締付けるために、基部周辺の周りに配置される。この工程は、ゴルフバッグ構成部品の耐久性のある取付をもたらす。従来から、組立過程は、複雑であり、非常に時間が掛かり、労働集約的である。ゴルフバッグ構成部品は適切に位置合わせされなければならず、しばしば、調節及び再位置合わせを必要とする。ひとたび位置合わせされると、各リベットは、バッグの上部と下部の両方の周りで個々に配置される。
【００１０】
通常、既知のゴルフバッグのサブアセンブリ及び外側シェルは、第１の場所で製作され、次に、組立のための第２の場所へと出荷される。サブアセンブリは、少なくとも１つの支柱が基部及び上部に連結され、基部と上部とを分離するゴルフバッグフレームを画定するように、製作される。同様に、外側シェルは、略円筒又は管状の形状へと製作される。
【００１１】
本発明者は、スナップフィット構成部品によって自分で組立てることができるカートバッグ又はキャリーバッグのいずれかのためのゴルフバッグの設計を見出した。スナップフィット構成部品を利用することで、ゴルフバッグ組立のための機械及び機器の経費の低減を製作者にもたらす。さらに、スナップフィット構成部品によって出荷体積が約３０％〜５０％低減され、出荷の間の包装体積のより効率的な使用を提供し、過大な構成部品又は嵩張る構成部品による過剰な出荷コストを抑制する。ゴルフバッグは、分割体上部及び基部を有する折り畳み式サブアセンブリと、分割体上部の外周の一部に設けられる複数の第１のスナップフィット連結器と、基部の端と反対の分割体上部の端、内側、及び、外側を有する平坦部と、を備える。平坦部は、分割体上部の端の一部に沿って設けられる複数の第２のスナップフィット連結器を備える。平坦部は、分割体上部の周りの複数の第１のスナップフィット連結器と、分割体上部の端に沿う複数の第２のスナップフィット連結器との嵌まり合うスナップフィット係合によって、サブアセンブリに取り付けられる。
【００１２】
ゴルフバッグのためのセルフアセンブリキットは、一端においてゴルフバッグ分割体上部に回動可能に連結され、反対側の端においてゴルフバッグ基部に回動可能に連結される支柱を備える折り畳み式ゴルフバッグと、外側シェルと、前記ゴルフバッグを折り畳み状態から展開状態へと組立てるためのセルフアセンブリシステムと、を備える。
【００１３】
折り畳み式ゴルフバッグは、第１のヒンジによって支柱の第１の端に回動可能に連結される分割体上部、と、第２のヒンジによって前記支柱の第２の端に回動可能に連結される基部と、前記分割体上部及び前記基部に連結される外側シェルであって、少なくとも１つのショルダーストラップを備える外側シェルと、を備える。折り畳み式ゴルフバッグは、前記分割体上部及び前記基部が前記支柱の周りで回動されている折り畳み構成で出荷されるように構成される。
【００１４】
ゴルフバッグをセルフアセンブリする方法は、分割体上部を、第１のヒンジを介して、折り畳み構成から展開構成まで支柱の周りで回動させる第１の回動ステップと、基部を、第２のヒンジを介して、折り畳み構成から展開構成まで前記支柱の周りで回動させる第２の回動ステップと、スタンドアセンブリの一部を、搭載ブラケット又は前記基部の一方に取付ける取付けステップと、を備える。
【００１５】
折り畳み式ゴルフバッグを製作する方法は、サブアセンブリを外側シェルに挿入する挿入ステップであって、前記サブアセンブリは、分割体上部と、基部と、前記分割体上部に結合され、前記基部に向かって延びる分割体スリーブと、を備え、前記分割体スリーブは、前記分割体スリーブに連結される複数の可撓性連結部材によって前記基部に結合され、前記分割体スリーブは、前記基部から延びる下縁を備える、前記挿入ステップを備える。前記方法は、さらに、支柱が前記分割体上部と前記基部との間で延びるように、前記支柱を前記サブアセンブリに結合する結合ステップであって、前記分割体上部が第１のヒンジによって前記支柱に回動可能に連結されており、前記基部が第２のヒンジによって前記支柱に回動可能に連結されている、前記結合ステップと、を備える。
【００１６】
ゴルフバッグのサブアセンブリは、分割体上部であって、前記分割体上部の周囲を画定する外側環体、及び、複数の開口を有する、前記分割体上部と、搭載通路、及び、前記搭載通路へと延びる複数の保持部材を有する脚搭載ブラケットと、を備える。スナップフィット連結を形成するために、前記外側環体が前記搭載通路に受容され、前記複数の開口の各々が前記複数の保持部材のうちの１つを受容する。
【００１７】
一対の脚をゴルフバッグに連結するためのスナップフィットブラケットは、脚搭載ブラケットであって、前記脚搭載ブラケットの前部に設けられる一対の脚アンカーを有する、前記脚搭載ブラケットと、一対の脚であって、前記各脚は、回動軸を画定する一対の対向する突出部を有するエンドキャップを備え、前記各脚は、前記エンドキャップと前記脚アンカーとの間にスナップフィット連結を提供するように構成される、前記一対の脚と、を備える。
【００１８】
ゴルフバッグは、分割体上部と、周囲を画定する基部と、前記周囲の周りで前記基部を貫通する複数の第１の開口と、を備える折り畳み式のサブアセンブリと、前記基部の端と反対側の前記分割体上部の端を備える平坦部であって、前記基部の端に沿って前記平坦部を貫通する複数の第２の開口を備える、前記平坦部と、複数のスナップツリー部材を有する帯片と、を備える。前記平坦部は、前記第１の開口を前記第２の開口と位置合わせするために、前記基部の一部と重なるように構成され、位置合わせされた前記第１の開口及び前記第２の開口の各々は、前記平坦部を前記基部に結合するために、前記複数のスナップツリー部材のうちの１つの前記スナップツリー部材を受容するように構成される。
【００１９】
他の特徴及び態様は、以下の詳細な記載及び添付の図面の検討によって明らかとなる。本開示の任意の実施形態が詳細に説明される前に、本開示は、その適用において、以下の記載に述べているような、又は、図面に示しているような、構成要素の詳細又は構造と配置とに限定されないことは、理解されるべきである。本開示は、他の実施形態を支援でき、様々な方法で実施又は実行できる。特定の実施形態の記載は、本開示を、本開示の趣旨及び範囲内にあるすべての変更、等価、及び代替を網羅しないように限定するように意図されていないことは、理解されるべきである。また、本明細書で使用される表現及び専門用語が、説明を目的としたものであり、限定として解釈されるべきでないことも、理解されるものである。
【００２０】
議論及び理解の容易性のため、及び、説明の目的だけのために、以下の詳細な記載は、第１の構成を形成してゴルファーによるゴルフバッグの持ち運びを容易にするために格納し、三脚の第２の構成を形成して独立して立つゴルフバッグを容易にするために展開する脚を有するスタンドゴルフバッグとして、ゴルフバッグ１０を示している。スタンドゴルフバッグが図示の目的のために提供されており、本明細書で開示されているスタンドゴルフバッグ及び関連するサブアセンブリ４２の態様が、任意の適切な部類、種類、又は、大きさのゴルフバッグ１０へと組み込まれ得ることは、理解されるべきである。一般的に、ゴルフバッグ１０は、例えば、１つ以上の複数のドライバー、ウッド、ハイブリッド、アイアン、ウェッジ、及び／又はパターの組み合わせを含むゴルフクラブのセットといった、複数の完全な長さのゴルフクラブを持ち運ぶのに適した大きさのものである。完全な長さのゴルフクラブは、折り畳み可能ではなく、クラブに応じて、約３２インチ〜約４９インチまでの長さを有する。
【００２１】
以下の詳細な記載は、平坦部１４をゴルフバッグ１０の一部として言及している。平坦部１４は、分割体上部３０と基部３４の間に取り付けられ、分割体上部３０と基部３４の間で延びるゴルフバッグの外側シェル又は被覆部である。平坦部１４は、他の特徴の中でも、１つ以上のポケット１８と、少なくとも１つの持ち運び取っ手２２と、１つ以上のショルダーストラップ２４と、を備え得る。
【００２２】
以下の詳細な記載は、スナップフィット連結、スナップフィット連結器、スナップフィットファスナ、及び、スナップフィット取付にも言及する。スナップフィットという用語は、工具なしで行われる任意の連結を含む。例えば、スナップフィット連結、スナップフィット連結器、スナップフィットファスナ、及び、スナップフィット取付は、限定されることはないが、ジッパ、スナップファスナ、面連結（ＶＥＬＣＲＯ（登録商標））、締まり嵌め、フック・アンド・フック・ファスナ、ボタン、又は、連結を形成する、もしくは、工具を使用せずに個人、使用者、又は組立者によって連結される任意の他の適切なファスナもしくは固定組立体を含み得る。リベットが使用されてもよいが、リベットは、スナップフィット連結、スナップフィット連結器、スナップフィットファスナ、及び、スナップフィット取付を用いることが必ずしも要求されない。
【００２３】
また、ゴルフバッグ１０と使用するためのセルフアセンブリキット４００及びセルフアセンブリシステム５００が、ゴルフバッグ１０をスタンドバッグとして示されている。スタンドゴルフバッグ１０は図示の目的のために提供されており、本明細書で開示されるセルフアセンブリキット４００及びセルフアセンブリシステム５００の態様が、任意の適切な部類、種類、又は、大きさのゴルフバッグ１０へと組み込まれ得ることは、理解されるべきである。
【００２４】
本明細書で使用されているような用語「受取人」は、ゴルフバッグ１０の使用者、販売場所（例えば、ゴルフショップなど）に携わる一人以上の人、又は、分解された状態、組み立てられていない状態、もしくは部分的に組み立てられた状態（もしくは構成）でゴルフバッグ１０を受け取り、ゴルフバッグ１０を組み立てるためにセルフアセンブリキット４００及び／又はセルフアセンブリシステム５００を使用する任意の人を含み得ることは、理解されるべきである。
【００２５】
図１は、ゴルフバッグ１０を示す。ゴルフバッグ１０は、ゴルフアクセサリ（例えば、ゴルフボール、ゴルフティー、ゴルフグローブ、雨具、及び、他の衣類等）のための複数のポケット１８を備える平坦部１４を備える。ゴルフバッグ１０は、バッグ１０の把持及び／又は持ち運びを容易にする複数の取っ手２２及びショルダー持ち運びストラップ２４も備える。スタンドアセンブリ２６は、搭載ブラケット３２（図２〜図３に示されている）によって、分割体上部３０においてゴルフバッグ１０に対して回動可能に連結される。分割体上部３０は、ゴルフバッグ１０を持ち運ぶのを支援するために、追加の取っ手３３を備える。分割体上部３０の反対側は、基部３４である。スタンドアセンブリ２６が展開されている図示の自立三脚構成において、平坦部１４は、基部３４に対してスタンドアセンブリ２６に向かって傾いている。これは、基部３４の下面３８に、バッグ１０が展開されている表面との接触を維持させ、三脚構成にある間、バッグ１０の安定性を増加させる。
【００２６】
図２及び図３は、平坦部１４が取り外された状態でのゴルフバッグ１０を示している。図２を参照すると、支柱３９は、分割体上部３０から基部３４へと延びている。スタンドアセンブリ２６は、バッグ１０の支柱３９とは反対側に設けられている。スタンドアセンブリ２６は、搭載ブラケット３２に回動可能に連結される一対の脚４０ａ、４０ｂを備える。バネ４１は、基部３４に結合されており、バネ部材４１ａ、４１ｂを備える。バネ部材４１ａ、４１ｂは、それぞれの脚４０ａ、４０ｂに連結するように基部３４から延びている。
【００２７】
図２及び図３も、好ましい実施形態による内部のサブアセンブリ４２を示している。サブアセンブリ４２は、分割体上部３０と、基部３４と、を備える。また、分割体スリーブ４６は、分割体上部３０に結合されており、分割体上部３０から基部３４に向かって延びる。分割体スリーブ４６は、概して箱状の形状を有しているが、他の実施形態では、任意の適切な形状又は所望の形状であってもよい。図４を参照すると、バッグ１０が格納された構成にある時（即ち、図３に示すように、スタンドアセンブリ２６が格納されている時）、分割体スリーブ４６は基部３４へと全体的に延びていない。分割体スリーブ４６の端又は下縁４７は、基部３４の上唇部又は縁４８から離間している。複数の連結部材５０は、分割体スリーブ４６に連結されており、より具体的には、基部３４に最も近い分割体スリーブ４６の端４７に隣接して連結されている。連結部材５０は、分割体スリーブ４６を基部３４に結合している。分割体スリーブ４６が基部３４に結合されているとき、隙間、開口部、又は、空間５４が、端４７によって画定される分割体スリーブ４６の周囲で変化する第１の距離Ｄ１を有して存在する。複数の隙間５４のそれぞれは、概して、分割体スリーブ４６（又は、その縁４７）と、２つの隣接する連結部材５０と、基部３４（又は、その上唇部４８）と、によって画定される。
【００２８】
図示した実施形態におけるバッグ１０では、複数の連結部材５０、より具体的には、４つの連結部材５０が、分割体スリーブ４６を基部３４に結合している。他の実施形態では、２つ、３つ、又は、５つ以上の連結部材５０が、分割体スリーブ４６を基部３４に結合するために使用されてもよい。連結部材５０は、分割体スリーブ４６と基部３４との間に可撓性及び／又は弾性の連結を形成するために、好ましくは、弾性ウェビングなど、可撓性で弾性の伸縮自在な材料から形成される。他の実施形態では、連結部材５０に、本明細書で開示されている内部サブアセンブリ４２の運用に従って機能させることができるのに十分な可撓性及び／又は弾性のある任意の適切な材料が、使用されてもよい。また、連結部材５０の端５６が分割体スリーブ４６に取り付けられている（図５参照）。端５６は、縫い付けによって分割体スリーブ４６に取り付けられている。しかしながら、他の実施形態では、端５６は、接着剤、リベット、又は、端５６と分割体スリーブ４６との間で連結を維持するとともに、連結部材５０を、本明細書で開示されている内部サブアセンブリ４２の運用に従って機能させることができるのに適した任意の他の既知の取り付けもしくは将来的に開発される取り付けによって、取り付けられてもよい。
【００２９】
ここで、図４及び図５を参照すると、好ましい実施形態では、各連結部材５０は、自己ファスナ５８によって分割体スリーブ４６を基部３４に結合するとともに、自己固定係合している。図５に示すように、自己ファスナ５８ａの第１の部分は、自己ファスナ５８ｂの第２の部分から離間している。自己ファスナ５８ａ、５８ｂの両方の一部が連結部材５０の同じ側に設けられている。これにより、各連結部材５０を、基部３４のスロット６２に受容させ（図４及び図５参照）、次いで、自己ファスナ５８ａ、５８ｂの一部を連結することで自己固定させることができる（図４参照）。換言すれば、連結部材５０がスロット６２に受容された後に、自己固定連結を形成するために、連結部材５０の第１の部分６６が、連結部材５０の第２の部分７０に固定される。自己固定連結は、分割体スリーブ４６を基部３４に結合するために、各連結部材５０を、基部３４の一部の周りに巻き付かせることができる。複数のスロット６２は、それぞれの連結部材５０を受容するために、基部３４の周りに設けられている。スロット６２は、基部３４の周囲を画定し、下面３８から離れるように延びる唇部７２を貫通する。自己ファスナ５８は、面ファスナ（例えば、ＶＥＬＣＲＯ（登録商標））の形態で図示されているが、他の実施形態では、ボタン及びボタン穴、鉤ホック閉鎖、又は、スナップファスナを含む任意の適切な自己ファスナ５８が使用されてもよい。また、他の実施形態では、自己ファスナ５８ａの第１の部分が、ファスナの面連結部であってもよく、自己ファスナ５８ｂの第２の部分が、ファスナの面連結部の他方である。他の実施形態では、連結部材５０の第１の部分６６は、（例えば、接着剤又は同様の材料の使用によって）永久的又は半永久的な配置で第２の部分７０に固定される。
【００３０】
図６は、分割体スリーブ４６を基部３４に結合する各連結部材５０の自己固定係合の代替の実施形態を示している。連結部材５０は、分割体スリーブ４６を基部３４に結合するために、基部３４の下部７１の一部に係合する。具体的には、下部７１の一部は複数の連結部７３を備え、各連結部７３は、基部３４の下部７１を貫通する２つのスロット又は開口（図示省略）によって画定される。各連結部材５０は、それぞれの連結部７３の周りに巻き付き、面ファスナ（ＶＥＬＣＲＯ（登録商標））によって自己連結を形成する。図示のゴルフバッグ１０では、４つの連結部材５０が分割体スリーブ４６を基部３４に結合している。
【００３１】
図７は、分割体スリーブ４６が取り付けられた状態の分割体上部３０を示している。分割体上部３０は、分割体上部３０の周囲を画定する外側環体７４を備える。取っ手３３は、分割体上部３０と共に形成されるか、又は、分割体上部３０に連結され、外側環体７４によって画定される周囲を超えて延びる。ここで、図８を参照すると、分割体スリーブ４６が、分割体上部３０をさらに示すために取り外されている。一実施形態では、少なくとも１つの交差部材７８が、複数の分割体開口８２を画定するために、外側環体７４によって画定された部分を横切って延びている。図示しているように、複数の交差部材７８ａ、７８ｂは、環体７４によって画定された部分を横切って延びており、少なくとも１つの中間部材８０が、好ましい実施形態において、分割体開口８２を画定するために、交差部材７８ａ、７８ｂの間を延びている。分割体開口８２は、分割体上部３０から基部３４に向かって延びる複数の分割体区域８６（図７参照）への入口を画定する。複数の分割体区域８６は、それぞれ、１つ以上のゴルフクラブを受容する。これによって、ゴルファーは、クラブがゴルフバッグ１０に受容されている間、特定のゴルフクラブを仕分け又は隔離することができる。例えば、ゴルファーは、ウッド及び／又はハイブリッドをアイアンから隔離できる。他の例として、ゴルファーは、より小さいロフトのアイアン（例えば、４番アイアンから７番アイアンまで）が、より大きいロフトのアイアン（例えば、８番アイアンからウッドまで）とは別の分割体区域８６にある等、アイアンを複数の分割体区域８６の間で仕分けすることができる。
【００３２】
ここで、図９及び図１０を参照すると、好ましい実施形態では、分割体スリーブ４６は、自己固定係合によって分割体上部３０に取り付けられる。連結部材５０の端と反対側の分割体スリーブ４６の端は、複数のフラップ９０を備える。フラップ９０は、分割体スリーブ４６に組み込まれてもよく、各フラップ９０は、面ファスナとして示されている自己ファスナ９４を含む。図１０に示すように、自己ファスナ９４は、第２の自己固定部１０２から分離された第１の自己固定部９８を備える。第１の自己固定部９８及び第２の自己固定部１０２は、フラップ９０の同じ側に設けられており、フラップ９０が分割体上部３０の一部の周りに巻き付くのに十分な距離だけ分離されている。第１の自己固定部９８、及び、第２の自己固定部１０２は、それぞれ、面ファスナのフック９８の一部、及び、ループ１０２の一部として示されている。しかしながら、他の実施形態では、ボタン及びボタン穴、鉤ホック閉鎖、又はスナップファスナを含む、任意の適切な自己ファスナ９４が使用されてもよい。また、他の実施形態では、第１の自己固定部９８は、ファスナの面連結部であってよく、第２の自己固定部１０２は、ファスナの面連結部の他方である。図９に示すように、交差部材７８及び中間部材８０の周りに巻き付くフラップ９０は、ゴルフクラブを、交差部材７８又は中間部材８０への擦り付けによる損傷から保護するために、追加のパッド又はパッド付き材料１０６を備える。外側環体７４の周りに巻き付くフラップ９０は、追加のパッド又はパッド付き材料なしで示されているが、他の実施形態において、フラップ９０は、このような追加のパッド又はパッド付き材料を備えてもよい。
【００３３】
使用において、通常、ゴルフバッグ１０は、スタンドアセンブリ２６が格納されている第１の位置又は第１の構成で始まる。図１１に示すように、格納された構成において、支柱３９は、分割体上部３０と基部３４との間で第１の長さ又は距離Ｌ１だけ延びている。分割体スリーブ４６は、分割体上部３０から第２の長さ又は距離Ｌ２だけ離れて延びており、分割体スリーブ４６の第２の長さＬ２は、概して支柱３９の第１の長さＬ１より小さくなっている。連結部材５０は、分割体スリーブ４６と基部３４との間で、概して緊張しているか、又は、若干弛んでいる。この第１の構成では、分割体スリーブ４６と基部３４との間の隙間５４は、ゴルファーに、１つ以上のゴルフクラブをゴルフバッグ１０に対して自由に挿入及び除去させることを可能するのに十分な空間又は余地を、分割体スリーブ４６と基部３４との間に提供する。
【００３４】
通常、ゴルファーは、ゴルフバッグ１０を設置するときに、ゴルフバッグ１０を第１の構成から第２の構成まで移行させ、スタンドアセンブリ２６を展開することになる。ゴルファーは、下面３８が支持面に載っている状態で支持面に基部３４を配置する。次に、ゴルファーは下向きの力を分割体上部３０に加える。下向きの力を加えることで、バネ４１は基部３４の周りを回動し、脚４０ａ、４０ｂをバッグ１０から離すように押す。同時に、支柱３９は、スタンドアセンブリ２６に向かって、基部３４のサブアセンブリに対して傾く。これによっても、図２に示すように、サブアセンブリ４２がスタンドアセンブリ２６に向けて傾けられる。支柱３９が基部３４に対して傾いている間、支柱３９は、第１の構成と第２の構成との両方において、分割体上部３０と基部３４との間の一定の距離Ｌ１を維持し、分割体スリーブ４６は、第１の構成よりも第２の構成において基部３４へとより近くに移動することは、理解されるべきである。
【００３５】
スタンドアセンブリ２６が展開されている第２の構成になると、サブアセンブリ４２は、基部３４の近くにおける分割体スリーブ４６の纏まり又は集まりを低減することで、ゴルファーのゴルフバッグ１０との体験を有利に向上する。図１２に示すように、分割体スリーブ４６と基部３４との間の各隙間５４は、第１の距離Ｄ１より小さいゼロでない第２の距離Ｄ２へと縮小される。隙間５４は、分割体スリーブ４６が第１の構成（図３及び図１１）と第２の構成（図２及び図１２）との間で基部３４に対して回動するための適切な間隔を提供し、基部３４の近くでの分割体スリーブ４６の望ましくない纏まり又は集まりをもたらし得る過剰な材料を抑制する。
【００３６】
サブアセンブリ４２を製作する方法は、基部３４を提供する工程と、複数の連結部材５０によって分割体スリーブ４６を基部３４に結合する工程と、を備える。分割体スリーブ４６に連結される複数の連結部材５０のそれぞれは、基部３４に設けられたそれぞれのスロット６２に受容される。各連結部材５０は、基部３４の一部の周りに巻き付き、連結部材５０の第１の部分６６を連結部材５０の第２の部分７０に連結することで自己固定係合を形成する。次に、分割体スリーブ４６は、連結部材５０の反対側の分割体スリーブ４６の端において、分割体上部３０に結合される。分割体スリーブ４６は、分割体上部３０の一部の周りに巻き付く複数のフラップ９０であって、第２の自己固定部１０２への第１の自己固定部９８の連結によって自己固定係合を形成する複数のフラップ９０を備える。
【００３７】
サブアセンブリ４２が製作されると、ゴルフバッグ１０は、サブアセンブリ４２を利用して製作され得る。サブアセンブリ４２は、平坦部１４、基部３４の端に最初に挿入される。挿入されると、サブアセンブリ４２は、例えば、基部３４の周囲のリベットと、分割体上部３０の周囲のリベットと、によって、平坦部１４に固定される。支柱３９は、平坦部１４においてスリット（図示省略）を通過して挿入され、第１の端において分割体上部３０へと挿入され、反対側の第２の端において基部３４に挿入される。支柱３９は、分割体上部３０及び基部３４に設けられるそれぞれの支柱受容スロットに受容され得る。スタンドアセンブリ２６は平坦部１４の一部を通過して挿入され、脚４０ａ、４０ｂのための回動軸を含むスタンドアセンブリ２６の一部が、例えばリベット又は他の適切な連結部材によって、分割体上部３０に結合される。次いで、各脚４０ａ、４０ｂに連結されたバネ４１が例えば基部３４におけるバネ受容スロットに挿入されることで、各脚４０ａ、４０ｂに連結されたバネ４１が基部３４に連結される。
【００３８】
サブアセンブリ４２を組み込んでいるゴルフバッグ１０は、技術的に知られているゴルフバッグに対して利点を提供する。とりわけ、サブアセンブリ４２を利用することで、基部３４の近くでの分割体スリーブ４６の纏まり又は集まりを低減することで、ゴルファーのゴルフバッグ１０との体験を向上し、スタンドアセンブリが展開されている三脚構成にゴルフバッグが位置しているときに、ゴルフバッグ１０に対するゴルフクラブの挿入及び取り出し性を向上する。また、連結部材５０は、製作中に分割体スリーブ４６（及びサブアセンブリ４２）の張力を調節する能力を製作者に提供する。さらに、リベットなどの設置部材を低減し、自己ファスナ５８、９４を使用してサブアセンブリ４２を分割体上部３０及び基部３４に連結するための時間を短縮することによって、製作の効率化及びコスト削減が実現される。この結果は、ゴルフバッグ１０の全体の組立時間の短縮をもたらす。
【００３９】
ここで、図１３〜図２９を参照すると、スナップフィットサブアセンブリの態様が、追加の詳細において開示されている。図１３〜図２０は、スナップフィットスタンドアセンブリ２６（図２〜図３参照）の構成部品を示している。図１３に示すように、分割体上部３０には、外側環体７４を貫く複数の開口１０６が形成されている。外側環体７４は、さらに、第１の縁１１２に設けられた複数の位置合わせスロット１１０と、第１の縁１１２と反対の縁に設けられており、好ましくは、環体７４の周囲の周りに延びる周縁１１４と、を備える。
【００４０】
図１３〜図１５に示すように、脚搭載ブラケット３２は、複数の脚アンカー１２２と、搭載部又は搭載通路１２６（図１４参照）と、を備える。搭載通路１２６は、ブラケット３２の前部１３０と後部１３４とによって画定される。複数のスナップ、スナップ部材、又は、保持部材１３８が、前部１３０及び後部１３４から通路１２６へと突出している。通路１２６は、脚搭載ブラケット３２を分割体上部３０の外側環体７４と位置合わせするのを容易にする複数の位置合わせリブ（図示省略）も備える。図示した実施形態では、全部で５つのスナップ１３８が示されており、２つが前部１３０から突出しており、３つが後部１３４から突出している。他の実施形態では、任意の好ましい数のスナップ１３８が使用されてもよい。スナップ１３８は、前部１３０だけから、後部１３４だけから、又は、前部１３０及び後部１３４の任意の適切な組み合わせから、通路１２６へと突出してもよい。
【００４１】
脚搭載ブラケット３２は、概して、弓形又は湾曲した曲率（図１４参照）を有しており、分割体上部３０への脚搭載ブラケット３２のスナップフィット連結を容易にするために、分割体上部３０の外側環体７４と相補的になっている。脚搭載ブラケット３２は、分割体上部３０の外側環体と相補的である線形の形状を有してもよい。脚搭載ブラケット３２は、スナップフィット連結を形成するために、外側環体７４の第１の縁１１２を搭載通路１２６へと受容するように配置される。脚搭載ブラケット３２は、脚搭載ブラケット３２の位置合わせリブ（図示省略）がそれぞれの位置合わせスロット１１０によって受容されるまで、外側環体７４の周りで調節される。受容されると、脚搭載ブラケット３２は外側環体７４を受容し、各スナップ１３８は、スナップフィット連結を形成するために、外側環体７４のそれぞれの開口１０６と係合する（又は、それぞれの開口１０６に受容される）。周縁１１４は、外側環体７４の脚搭載ブラケット３２への過剰な挿入を防止するとともに、ゴルフバッグ１０を使用している間、脚搭載ブラケット３２のための追加的な構造の支持を提供する。他の実施形態では、分割体上部３０に対する脚搭載ブラケット３２の向きが、分割体上部３０の下からの係合に限定されず、任意の他の方向からの係合が適切であり得ることは、理解されるべきである。また、スナップフィット連結が、開口１０６とスナップ１３８との係合として図示されているが、しっかりとした構造の連結を形成するために、スタンドアセンブリ２６からの力に対抗して支持し、脚搭載ブラケット３２を分割体上部３０に固定する任意の他の適切な機械的連結が実施されてもよい。
【００４２】
分割体上部３０は、好ましくは、可撓性、強度、及び、軽量な構造のために、ポリプロピレン又は他の熱可塑性ポリマから作られる。脚搭載ブラケット３２は、脚４０とバッグ部分との間のヒンジ点として作用するため、強度のために、好ましくはガラス充填ナイロンから作られる。スナップフィット連結は、分割体上部３０及び脚搭載ブラケット３２のそれぞれの材料特性を維持するとともに、それら構成部品を一体の部品として作用させる。
【００４３】
図１６〜図１７は、脚搭載ブラケット３２ａと分割体上部３０ａの代替の実施形態を示している。この実施形態では、トラフ又は通路１４２が後部１３４に設けられている。トラフ１４２は、分割体上部３０ａの分割体区域を画定する交差部材７８（又は、図８に示しているような中間部材８０）の周りに嵌まるように設けられている。トラフ１４２は、（脚搭載ブラケット３２との関連で開示されているように）スナップフィット連結のために脚搭載ブラケット３２ａを分割体上部３０ａと適切に位置合わせするための追加の位置合わせ補助具としても作用し得る。図１８は、実施形態の脚搭載ブラケット３２、３２ａに係合するための４つの開口１０６を有する分割体上部３０ｂの追加の代替の実施形態を示している。
【００４４】
図１９〜図２０は、各脚４０と脚搭載ブラケット３２との間のスナップフィット連結を示している。図１９を参照すると、エンドキャップ１４６は脚連結エンド１５０を備える。脚連結エンド１５０は、例えば接着剤又は機械的連結といった恒久的な取り付けによって、脚４０に連結する。エンドキャップ１４６は対向する突出部１５４も備えている。図２０に示しているように、各突出部１５４は、エンドキャップ１４６（及び各々の関連する脚４０）と脚搭載ブラケット３２との間にスナップフィット連結を形成するために、脚アンカー１２２のそれぞれのスロット１５８に受容される。また、突出部１５４とスロット１５８との係合は、各々に対応する脚４０を、対向する突出部１５４を通過して延びる回動軸の周りで、それぞれの脚アンカー１２２に対して、に回動することを可能にする。特に、脚４０が格納された構成と脚４０が伸長された三脚構成との間で回動させることができる。他の実施形態では、スロット１５８は、各脚４０と脚搭載ブラケット３２／分割体上部３０との間にスナップフィット保持と回動連結との両方を提供する開口又は任意の適切な連結で置き換えられてもよい。
【００４５】
図２１〜図２９は、支柱３９（図２参照）を回動させるためのスナップフィットサブアセンブリを示している。図２１〜図２２は、分割体上部３０に回動可能に連結される第１又は上部の支柱ヒンジ１６２を示している。図２３〜図２４を参照すると、上部支柱ヒンジ１６２は、結合部１６５によって第２の部分又は第２のアーム１６４に回動可能に連結される第１の部分又は第１のアーム１６３を備える。第１のアーム１６３は、分割体上部３０（図２１参照）に連結されており、第２のアーム１６４は支柱３９（図２２参照）に連結されている。例えば、第１のアーム１６３は、分割体上部３０の対応する通路（図示省略）に受容されることができ、第２のアーム１６４は、支柱３９の第１又は上部の端を受け入れる通路部又はスリーブ部１６６を画定することができる。上部支柱ヒンジ１６２は、第１のアーム１６３及び第２のアーム１６４が互いに対して斜めに配置される第１の位置（図２３参照）と、第１のアーム１６３及び第２のアーム１６４が、互いに対して平角（例えば、１８０度）を形成する、又は、概して同一線上にある第２の位置（図２４に示されている）と、の間で、結合部１６５において回動する。第２の位置において、第１のアーム１６３及び第２のアーム１６４によって形成される最大角度は、おおよそ１８０度の角度として図示されているが、他の実施形態では、形成される最大角度は、１８０度未満又は１８０度超の任意の適切な角度であってもよい。上部支柱ヒンジ１６２は、第２のアーム１６４が外側環体７４の一部に対して略垂直である位置（図２１に示す位置）から、第２のアーム１６４が外側環体７４の一部に対して略平行である位置（図２２に示す位置）までの約９０度回動する。
【００４６】
第１の位置（ゴルフバッグ１０が折り畳まれるときに生じる）から第２の位置（ゴルフバッグ１０が展開されるときに生じる）までの移行の間の上部支柱ヒンジ１６２の過剰な拡がりを制限するために、上部支柱ヒンジ１６２はヒンジ制限部１６７を備えている。図示した実施形態において、ヒンジ制限部１６７は、切り欠き１６９（第１のアーム１６３又は第２のアーム１６４の一方に配置される）によって受容されるヒンジ突起１６８（第１のアーム１６３又は第２のアーム１６４の他方に配置される）を備える。切り欠き１６９は、上部支柱ヒンジ１６２を第１の位置（図２３参照）から第２の位置（図２４参照）まで回転させる際に、上部支柱ヒンジ１６２が第２の位置に到達する時に突起１６８を受容する。そして、第１のアーム１６３の一部と第２のアーム１６４の一部とは互いに接触し、さらに、上部支柱ヒンジ１６２の回転又は回動が制限される。ヒンジ制限部１６７は、セルフアセンブリの間に分割体上部３０が過剰に拡がるのを防止することを支援する。
【００４７】
図２５は、基部３４に回動可能に連結された第２の支柱ヒンジ、下部支柱ヒンジ、又は基部支柱ヒンジ１７０を示している。図２６〜図２８に示すように、基部支柱ヒンジ１７０は、バネ又は付勢部１７３によって第２の部分又は第２のアーム１７２に可撓式に連結される第１の部分又は第１のアーム１７１を備える。第１のアーム１７１は基部３４に連結されており、第２のアーム１７２は支柱３９に連結されている。例えば、第１のアーム１７１は、基部３４（図４〜図５及び図２５参照）によって画定された支柱受入通路１７４に受容されることができる、又は、支柱受入通路１７４と係合することができ、第２のアーム１７２は、支柱３９（図５及び図２５参照）の一部を受容する通路１７５を画定することができる。図２８に示すように、付勢部１７３において、ヒンジ１７０は屈曲する。これにより、第１のアーム１７１及び第２のアーム１７２を互いに対して曲げることができる。さらに、第１のアーム１７１及び第２のアーム１７２に取り付けられた構成部品（例えば、基部３４及び支柱３９のそれぞれ）が、互いに対して、曲がる、又は、回動する。基部支柱ヒンジ１７０は、ゴルフバッグ１０を折り畳み状態から展開状態へと変換するために、支柱３９の周りでの基部３４の回動を容易にするだけでなく、ゴルフバッグ１０が使用中に第１の構成（脚４０が格納されている図３参照）から第２の構成（脚４０が伸長されている図２参照）まで移行するとき、支柱３９を基部３４に対して傾けることを支援もする。基部支柱ヒンジ１７０は、基部３４の側壁１７８の一部に対して略垂直な位置から、基部３４の側壁１７８の一部に対して略平行な位置までの略９０度回動するように構成されている。一部の実施形態では、支柱ヒンジ１６２、１７０は、機械的に回動可能というよりも、可撓的に回動可能である。
【００４８】
スナップフィットサブアセンブリは、支柱３９を、スナップフィット連結によって、分割体上部３０と基部３４とを相互連結させることができ、包装体積を低減させることによる、よりコスト効果のある出荷のために、サブアセンブリの一部（例えば、分割体上部３０、基部３４、及び支柱３９）を平坦に回動させることもできる。支柱ヒンジ１６２、１７０は、分割体上部３０及び基部３４を、支柱３９の周りで、支柱３９に対して略垂直な位置（脚４０が、スタンドバッグのために、又は、カートバッグにおいて、格納されるとき）から支柱３９に対して略平行な位置（図２９に示す位置）まで、回動することを可能にする。図２９に示した構成の結果として、分割体上部３０は、支柱３９からオフセットされており、支柱３９の平面と概して平行な平面にある。図示していないが、基部３４も支柱３９からオフセットされており、基部３４は支柱３９の平面と概して平行な平面にあり、基部３４及び分割体上部３０は、略平行である、又は、略同じ平面にある。
【００４９】
図３０〜図３１は、ゴルフバッグ１０を形成するための組立の間において、サブアセンブリとのスナップフィット連結を形成する平坦部１４を示している。図３０は、平坦部１４の外側又は第１の側を示している。平坦部１４は単一の材料又は２つ以上の材料から形成され、ポケット１８、取っ手２２、及びショルダーストラップ２４が取り付けられている。ポケット１８は、平坦部１４と別体であり、平坦部１４から取り外し可能であり得る。例えば、各ポケット１８は、スナップフィットボタン、面連結器（例えば、ＶＥＬＣＲＯ（登録商標））、又は、１つ以上のジッパによって等、取り外し可能な取り付けによって平坦部に連結され得る。取り外し可能なポケット１８は、異なるポケット１８の大きさ、数、又は、平坦部１４における位置の、カスタム構成又は再構成を可能にする。
【００５０】
図３１は、平坦部１４の内側又は第２の側を示している。平坦部１４は、下部又は基部の端１８２と、上部の端１８６と、を備えている。両方の端は、雌又は雄のスナップフィットボタン１９４として図４７に示されている、サブアセンブリの分割体上部３０及び基部３４に設けられたスナップフィット連結器１９４のそれぞれとの係合のために、雄又は雌のスナップフィットボタン１９０として示されている複数のスナップフィット連結器１９０を備える。
【００５１】
平坦部１４と、分割体上部３０及び／又は基部３４と、の間の代替のスナップフィット連結が、図３２〜図３４に示されている。平坦部１４の実施形態は、周囲に複数のダイカット孔１９５を備え、基部３４の実施形態は、対応する複数のダイカット孔１９６を周囲に備える。平坦部１４のダイカット孔１９５と、基部３４のダイカット孔１９６と、は位置合わせされている。可撓性の成形されたスナップツリー又はスナップツリー部材１９８の帯片１９７が、位置合わせされた孔１９５、１９６と係合する。平坦部１４及び基部３４の各々の位置合わせされたダイカット孔１９５、１９６が、１つのツリー１９８を受容する（図３４参照）。図３２〜図３４は、平坦部１４と基部３４との間の代替のスナップフィット連結を示しているが、同じ代替のスナップフィット連結が、平坦部１４と分割体上部３０との間で使用されてもよい。他の実施形態においても、平坦部１４は、面ファスナ（例えば、ＶＥＬＣＲＯ（登録商標））、フック・アンド・フック・ファスナ、ボタン、又は、任意の他の適切なスナップフィットファスナもしくは固定アセンブリによって、サブアセンブリ４２とのスナップフィット取付を形成できる。
【００５２】
平坦部１４は、分割体上部３０の周りに追加の補強と剛性とを提供するために、上部端１８６に補強環体２００も備えている（図３１参照）。平坦部１４は、脚搭載ブラケット３２のアンカー１２２をそれぞれ突出させて、脚４０とのスナップフィット連結及び回動連結を容易にするために、アンカー１２２を露出させる複数の窓（図示省略）も備え得る。これにより、平坦部１４を、カートバッグサブアセンブリとキャリー（又はスタンド）バッグサブアセンブリとの間で交換可能にすることができる。また、平坦部１４は、第２の継ぎ目の縁２０４と反対側の第１の継ぎ目の縁２０３によって画定されている継ぎ目２０２（図５２参照）を備える（図３１参照）。サブアセンブリ４２への取り付けに続いて、平坦部１４の継ぎ目の縁２０３、２０４は、単一のジッパ、２つのジッパ、面ファスナ（ＶＥＬＣＲＯ（登録商標））、関連するレール内に嵌まる舌部を伴う搭載軌道、スナップフィットボタン、又は、任意の他の適切なスナップフィットファスナもしくは固定アセンブリによって連結される。ある構造では、単一のジッパが平坦部１４の中間部において縁２０３、２０４に付着し、平坦部１４の上部及び／又は下部がスナップフィットボタン、面ファスナ（ＶＥＬＣＲＯ（登録商標））などと固定される。他の構造では、２つのジッパは、平坦部１４の２つの別々の継ぎ目をサブアセンブリ４２に連結する。別の実施形態では、平坦部１４は、スナップフィット取付によってサブアセンブリ４２に取り付けられる複数の部分に分割されていてもよい。しかしながら、単一の継ぎ目の利点は、平坦部１４のより容易な防水加工と、平坦部１４をサブアセンブリ４２の周りに巻き付けるための単一の取付線と、である。
【００５３】
図３５〜図４６は、ゴルフバッグ１０に取り付けられる展開可能な靴ポケットアセンブリ３００を示す。靴ポケットアセンブリ３００は、第１の（又は、展開）構成（図３５〜図３６参照）と、第２の（又は、保管）構成（図３７参照）との間で展開可能である。具体的に、図３５を参照すると、靴ポケットアセンブリ３００は、靴（又は、一対の靴）を受容するように構成される区画室３０８を画定する靴ポケット３０４を備える。靴ポケット３０４の一端は、区画室３０８へのアクセスを提供するために、開口部３１２を画定する。開口部３１２の周囲は、開口部３１２の大きさを最小限とするために、内向きに付勢されるか、又は、その弛緩した位置で収縮するように構成される弾性材料３１６を備え得るか、又は、その弾性材料３１６を少なくとも部分的に包囲し得るすることができる。これは、靴ポケット３０４によって受容される靴の保持を容易にするとともに、使用されていないとき、靴ポケット３０４の大きさを縮小もする。
【００５４】
図３６は、第１の構成又は展開構成での靴ポケット３０４を示している。ポケット１８は、継ぎ目（又は、他の適切なファスナ）に沿って平坦部１４に取り付けられ得る。継ぎ目の一部は、平坦部１４によって部分的に画定され、かつ、ポケット１８によって部分的に画定される保管通路３１９へのアクセスポート３１７を画定し得る（図３６及び図３７参照）。靴ポケット３０４は、ガセット３２０において、ファスナ３１８（例えば、クリップ、縫い付けなど）によって、ポケット１８に取り付けられる。ガセット３２０は、ポケット１８の縁に、又は、ポケット１８の任意の他の適切な部分に配置され得る。他の実施形態では、靴ポケット３０４は、平坦部１４の一部に（例えば、平坦部１４のガセットにおいてなど）取り付けられ得る。
【００５５】
図３７は、第２の構成又は保管構成での靴ポケット３０４を示している。この構成では、靴ポケット３０４は、矢印３２４によって示されているように、保管通路３１９内に配置される（靴ポケット３０４の展開構成は破線で示されている）。従って、これによって使用者は、靴を保管するために、靴ポケット３０４を選択的に展開することができ、そして、靴ポケット３０４を使用していないときに靴ポケット３０４を保管構成へと格納することができる。
【００５６】
図示した実施形態では、靴ポケットアセンブリ３００は、取っ手２２及び／又はストラップ２４と反対のゴルフバッグ１０の側に配置される（例えば、ゴルフバッグ１０の「膨らんだ」側）。他の実施形態では、靴ポケットアセンブリ３００は、ゴルフバッグ１０における任意の適切な場所に配置され得る。さらに、図示した実施形態は、靴ポケット３０４に受容される１つだけの靴を示している。従って、靴ポケットアセンブリ３００は、図３８に示すように、一対の靴を収容するために２つの靴ポケット３０４を備え得る。図３８に示した実施形態では、複数の靴ポケット３０４は別のポケット１８に取り付けられる。しかしながら、他の実施形態では、複数の靴ポケット３０４は、両方とも単一のポケット１８に取り付けられてもよい。図３９に示すように、各靴ポケット３０４は、弾性又は伸縮のメッシュ材料３２８から形成されている。他の実施形態では、靴ポケット３０４は、任意の他の材料（例えば、ナイロン、ポリエステルなど）から形成されてもよい。また、各靴ポケット３０４は、靴を受容して持ち運ぶための大きさとされている。靴ポケット３０４は、約３０センチメートルの高さＨと、約１７．５センチメートルの長さＬとを有することができ、これは、約３５センチメートルの開口部３１２の周囲を画定する。他の実施形態では、靴ポケット３０４は、１つの靴を持ち運ぶための任意の適切な大きさであり得るし、又は、一対の靴を持ち運ぶための大きさとされ得る。靴ポケットアセンブリ３００に受容される靴は任意の適切な靴を含み得る（例えば、ゴルフバッグ１０がゴルフコースから離れて運ばれているときはゴルフシューズ、ゴルフバッグ１０がゴルフコース又はその周りに運ばれているときは外出用の靴など）。
【００５７】
図４０〜４６は、ゴルフバッグ１０の１つ以上の区画室への水の浸透を減らすための防水加工を伴うゴルフバッグ１０の実施形態を示している。例えば、ポケット１８は、被覆されたポリエステル材料、より具体的には、二重に被覆されたポリエステル材料から製作され得る。例として、ポリエステルのための被覆は、ポリエステル−ポリウレタン樹脂被覆及び／又はポリウレタン樹脂被覆があり得る。被覆されたポリエステルは、有利には、高温の気象条件（例えば、華氏９０度を超えるなど）において収縮しない。ポケット１８は、製作され、被覆され、そして、平坦部１４に取り付けられ得る（例えば、縫い付けられるなど）。図４４〜図４５を追加で参照すると、ポケット１８が平坦部１４に取り付けられると、固定点３３０（例えば、継ぎ目など）は防水加工で被覆され得る。ポケット１８は、複数の相補的なファスナ３３４ａ、３３４ｂ（例えば、面ファスナなど）によって固定点３３０と反対側の縁において、平坦部１４に選択的に結合され得る。ファスナ３３４ａ、３３４ｂ（図４４〜図４５に示す）、及び／もしくは、ポケット１８の縁、各ポケット１８が平坦部１４（図４６に示されている）に連結する継ぎ目３３６、ジッパ３４０、又は、各ポケット１８への他のアクセス開口（図４０〜図４５に示されている）は、防水加工で被覆され得る。防水加工は、水又は他の液体が処理されたポケット１８又は平坦部１４の一部に浸透することを低減し、ポケット１８内に保管された品物を、悪天候条件において、又は、不注意で水に曝したときに（例えば、ゴルフバッグ１０を灌漑ヘッドの近くに置くなど）、乾燥して保つのを支援する。表１を参照すると、本明細書に開示されている防水加工を有するゴルフバッグ１０は、様々な市販の防水加工のゴルフバッグと比較して、約２６％〜７３％の水分保持における全体的な低下と、約６％〜４４％のポケット１８での水分検出における低減と、をもたらす。
【００５８】
【表１】
2019107495.tif 000003
【００５９】
図４７〜図５３は、ゴルフバッグ１０の実施形態における、スナップフィットアセンブリの方法を示している。図４７〜図５３に示した実施形態は、カートゴルフバッグ１０であるが、方法は、キャリーバッグ又はスタンドバッグを組み立てることについても、他に記載がなければ同様である。図４７〜図５３はサブアセンブリ５２を示しており、サブアセンブリ５２はサブアセンブリ４２と同様であってもよいことも理解すべきである。サブアセンブリ５２は、分割体上部３７と、基部４４と、分割体スリーブ８８と、を備える。分割体上部３７は、分割体上部３０、３０ａ、３０ｂと同様であってもよく、基部４４は基部３４と同様であってもよく、分割体スリーブ８８は分割体スリーブ４６と同様であってもよい。
【００６０】
図４７を参照すると、サブアセンブリ５２は折り畳み構成で提供されており、折り畳み構成は、サブアセンブリ５２が組立に向けて出荷されるときにおける構成である。図示した折り畳み構成では、分割体上部３７と基部４４とは、分割体スリーブ８８によって相互連結されており、分割体上部３７及び基部４４は、オフセットされており、互いに略平行な向きにある。分割体上部３７と基部４４との両方が、平坦部１４において、スナップフィット連結器１９０に連結する複数のスナップフィット連結器１９４を有している。スタンドゴルフバッグ１０のための図３で示したサブアセンブリ４２など、サブアセンブリ５２の他の実施形態では、折り畳み構成は、支柱３９によって相互連結された分割体上部３０及び基部３４を有しており、分割体上部３０及び基部３４は、支柱３９からオフセットされており、支柱３９と略平行である。
【００６１】
次に、図４８に示すように、サブアセンブリ５２は、伸長される、又は、伸長された構成まで移行される。図示の伸長された構成では、分割体上部３７は、基部４４と反対の方向に引っ張られ、分割体スリーブ８８を伸長している。伸長された構成では、サブアセンブリ５２は、平坦部１４とのスナップフィット取り付けのために準備されている。一部の構成では、ゴルフバッグ１０に追加の剛性及び支持を提供するために、１つ以上の支柱３９が、平坦部１４のサブアセンブリ５２へと挿入され得る。スタンドゴルフバッグ１０のための図３で示したサブアセンブリ４２など、サブアセンブリ５２の他の実施形態では、サブアセンブリ４２は、分割体上部３０と基部３４との両方が支柱３９に対して略垂直又は直角となるように、分割体上部３０及び基部３４をそれぞれの支柱ヒンジ１６２、１７０の周りで回動することで、伸長された位置へと移行される（図２２参照）。スタンドバッグサブアセンブリ４２は、平坦部１４のスナップフィット設置の前に、追加的な組立ステップを有している。脚搭載ブラケット３２は、（図２、図１３〜図１５に示し、上述したように）スナップフィット連結によって分割体上部３０に取り付けられる。バネ４１は基部３４（図２参照）にも設置され、分割体スリーブ４６は、分割体上部３０と基部３４とに取り付けられる（図２〜図１０参照）。スタンドバッグサブアセンブリ４２のための追加の組立ステップが、図示の目的のために提供され、各々のステップが開示されている順番に限定されない。
【００６２】
次に、図４９に示すように、平坦部１４は、分割体上部３７にスナップフィット連結される。平坦部１４は、サブアセンブリ５２との所望の向き又は必要な向きに位置決めされる（分割体上部３７及び基部４４に対するストラップ２４の適切な位置決めなど）。次に、平坦部１４における複数のスナップフィット連結器１９０の各々は、分割体上部３７における複数のスナップフィット連結器１９４のそれぞれ１つとスナップフィット係合される。図示した実施形態では、各々の雄又は雌のスナップフィットボタン１９０が、関連する雌又は雄のスナップフィットボタン１９４に係合する。平坦部１４は、スナップフィット連結器１９０、１９４がスナップフィット係合されるにつれて、分割体上部３７の外周に巻き付く。図１のスタンドゴルフバッグ１０のための図２に示されたサブアセンブリ４２など、サブアセンブリ５２の他の実施形態では、脚搭載ブラケット３２の脚アンカー１２２は、脚アンカー１２２を平坦部１４の外側に露出するために、平坦部１４において開口部（図示されていない）を通じて延びるように配置される。
【００６３】
図５０〜図５１に示すように、次に、平坦部１４は基部４４にスナップフィット連結される。即ち、平坦部１４における複数のスナップフィット連結器１９０の各々は、基部４４における複数のスナップフィット連結器１９４のそれぞれ１つとスナップフィット係合される。図示した実施形態では、各々の雄又は雌のスナップフィットボタン１９０が、関連する雌又は雄のスナップフィットボタン１９４に係合する。平坦部１４は、スナップフィット連結器１９０、１９４がスナップフィット係合されるにつれて、基部４４の外周に巻き付く。
【００６４】
平坦部１４が分割体上部３７及び基部４４とスナップフィット連結されると、平坦部１４の継ぎ目２０２は、スナップフィット連結を完全とするために封止される。図５２に示すように、継ぎ目２０２は、継ぎ目の縁２０３、２０４に沿う連結部材２０６の閉止によって封止される。連結部材２０６は単一のジッパ２０６として示されているが、他の実施形態では、連結部材２０６は、上述しているように、２つのジッパ、面ファスナ（ＶＥＬＣＲＯ（登録商標））、関連するレール内に嵌まる舌部を伴う搭載軌道、スナップフィットボタン、又は、任意の他の適切なスナップフィットファスナもしくは固定アセンブリであってもよい。先に詳述したように、ポケット１８は、異なるポケット１８の大きさ、数、又は、平坦部１４における位置のカスタム構成又は再構成を可能にするために、取り外しされてもよいし、及び／又は、任意の先に記載したスナップフィットファスナによって調節されてもよい。図１のスタンドゴルフバッグ１０のための図２に示すサブアセンブリ４２など、サブアセンブリ５２の他の実施形態では、脚４０は、脚搭載ブラケット３２のそれぞれの脚アンカー１２２との各々のエンドキャップ１４６のスナップフィット及び回動連結によって取り付けられる。脚４０が取り付けられると、バネ４１は、各々の脚４０ａ、４０ｂに、それぞれ結合される（図２参照）。
【００６５】
全てのサブアセンブリ５２の構成部品の設置後、サブアセンブリ５２への平坦部１４の取り付けの後、及び、平坦部１４の継ぎ目２０２の封止の後、ゴルフバッグ１０は組立てられる（図５３参照）。
【００６６】
ここで図５４〜図７２を参照すると、折り畳み式ゴルフバッグ１０のためのセルフアセンブリキット４００（図５７参照）が示されている。キット４００は、ゴルフバッグ１０と、ゴルフバッグ１０の受取人にゴルフバッグ１０の組立てを可能にするセルフアセンブリシステム７００と、を備える。
【００６７】
図５４〜図５５に示すように、セルフアセンブリキット４００は、部分的に組み立てられた状態のゴルフバッグ１０を出荷するために使用される箱、容器、又は出荷包装４０４を含んでいる。箱４０４は、フラップ又はフラップ部４１２と一体的に形成され得る上部又は正面側４０８を備える。正面側４０８は、折り目４１６によって、箱４０４の一部に、より具体的には、箱の側面に、連結されている。正面側４０８は、箱４０４の外面の一部を画定すると共に、折り目４１６の周りで回動することで、箱４０４の内部へのアクセスも提供する。フラップ部４１２は、箱４０４の閉止を容易にするために係合面を画定する。係合面は、正面側４０８及びフラップ４１２から分離される箱４０４の一部によって画定されるそれぞれのスロット４１８（図５７参照）によって受容され得る１つ以上のタブ（図示省略）を備え得る（例えば、スロットは、箱４０４の１つ又は複数の側面によって画定され得るなど）。タブ及びスロットの閉止が、閉止の図示の目的のために提供されており、正面側４０８及び／又はフラップ部４１２を箱４０４の一部との係合のために適切である任意の閉止が実施され得ることは、理解されるべきである。
【００６８】
図５４〜図５５において、セルフアセンブリキット４００の箱４０４が、完全に組み立てられたゴルフバッグを出荷するために現在使用されている既知の箱の隣に示されている。比較は、既知の箱に対する箱４０４の縮小された大きさを示すものである。より具体的には、箱４０４は、約２，０４０立方インチ（ｉｎ３）の体積を有するが、既知の箱は、約５，１９０立方インチ（ｉｎ３）の体積を有する。箱の体積は概算であるが、箱４０４は既知の箱より約６０％小さい体積を有する。箱４０４は、既知の箱に対して縮小した大きさ及び縮小した体積を有しており、体積縮小は、約１５％から約７０％に及び、より具体的には、約２５％から約６５％に及び、より具体的には、約３５％から約６０％に及び、より具体的には、組み立てられたゴルフバッグを出荷するために使用される既知の箱から５０％を超える。
【００６９】
受取人に、ゴルフバッグ１０のセルフアセンブリに関する案内を提供するために、箱４０４は表示４２０を備え得る。図５６に示すように、表示４２０は、ゴルフバッグ１０を組み立てるための取扱説明を含む。組立の取扱説明は、各々の組立ステップの案内を提供するため、及び／又は、各々の組立ステップを図示するために、１つ以上の図又は詳細な図を含み得る。箱４０４の図示した実施形態では、表示４２０は、正面側４０８の内側に印刷されており（つまり、箱４０４が閉じられているとき、表示４２０は箱４０４の内部を向く）、受取人が箱を開けるために正面側４０８を折り目４１６の周りに回動する時に、表示４２０が読み取り可能な向きで受取人に面するように向けられている。表示４２０が箱４０４に印刷されているとして開示されているが、他の実施形態では、表示４２０は箱に別体で含まれてもよい（例えば、取扱説明書等として）。
【００７０】
図５７は、ゴルフバッグ１０が、部分的に組み立てられた、第１の折り畳み状態又は構成を示している。ゴルフバッグ１０は、箱４０４内にこの状態で出荷される。図５７では、ゴルフバッグ１０は、箱４０４から取り出されて示されており、分割体上部３０と、基部３４と、支柱３９（図２２参照）と、を備える。平坦部１４は、分割体上部３０と基部３４とに取り付けられている。ゴルフバッグ１０は、分割体上部３０及び基部３４が支柱３９の周りに各々回動されている状態で折り畳まれている。図示した実施形態では、分割体上部３０及び基部３４は、各々、互いに向かって支柱３９の周りに約９０度回動されている。実施形態の他の例では、分割体上部３０及び基部３４は、箱４０４での出荷に向けてゴルフバッグ１０を折り畳むのに適する任意の角度で、支柱３９の周りに各々回動され得る。
【００７１】
折り畳み式ゴルフバッグ１０に加えて、キット４００はセルフアセンブリシステム５００を備える。セルフアセンブリシステム５００は、受取人によって組み立てられるゴルフバッグ１０の１つ以上の構成部品を備える。
【００７２】
図５８を参照すると、セルフアセンブリシステム５００の実施形態の第１の例が示されている。図示したシステム５００は、バネセルフアセンブリシステム５０１（図５９参照）と、脚セルフアセンブリシステム５０２（図６１参照）と、を備え得る。図５８のシステム５００は、スタンドアセンブリ２６の一部、より具体的には、脚４０ａ、４０ｂと、取り付けられたバネ４１と、を備える。バネ４１は、基部係合フック５０８（図５９参照）を有する連結器５０４を備える。システム５００は、取り付けのために脚４０ａ、４０ｂと搭載ブラケット３２（図６６参照）を位置合わせすることで受取人を支援する位置合わせ補助具５１２も備える。システム５００は、さらに、脚４０ａ、４０ｂを搭載ブラケット３２に回動可能に取り付けるための１つ以上のロッドピン又はピン５１６を備える。
【００７３】
図５９〜６０は、さらに、バネセルフアセンブリシステム５０１を示す。システム５０１は、バネ４１及び基部３４のセルフアセンブリを容易にする連結器５０４を備えている。図５９を参照すると、連結器５０４の基部係合フック５０８は、基部３４の一部を受容又は係合するように構成されている通路部又はフック部（図示省略）を備える。図示した実施形態では、基部３４は、通路１７４（図２５参照）と同様のバネ受容スロット又は通路を画定する。通路は、連結器５０４の一部を受容する、又は、その一部と係合する。基部３４の一部、より具体的には、基部３４におけるバネ受容スロット５１８の一部によって、開口又は窓５２０が画定される。連結器５０４の隙間又はスロット内に受け入れられるように構成された部材又は交差部材５２４によって、開口５２０の周囲の一部が画定される。セルフアセンブリを容易にするために、受取人は、連結器５０４をバネ受容スロット５１８に位置決めする。次に、受取人は、連結器５０４を基部３４と係合させ、基部係合フック５０８に部材５２４を受容させる。受容されると、基部係合フック５０８は、図６０に示されている開口５２０によって受容される。これは、連結器５０４と基部３４との間に、より広義には、バネ４１と基部３４との間にセルフアセンブリ連結を形成する。セルフアセンブリ連結は、基部３４からの連結器５０４の係合解除又は引き抜きを許容するために、取り外し可能であり得ることが理解されるべきである。例えば、連結は、セルフアセンブリシステム５００を交換することによって、スタンドアセンブリ２６の損傷された部分（例えば、壊れた脚４０、壊れたバネ４１など）を交換するために、取り外し可能であり得る。
【００７４】
図６１〜図６７は脚セルフアセンブリシステム５０２を示している。図６１を参照すると、システム５０２は、各脚４０ａ、４０ｂのそれぞれに連結されるエンドキャップ５２８ａ、５２８ｂを備える。各エンドキャップ５２８は、ピン５１６を受容するように構成された開口又はピン開口５３２を備える。図６２に示すように、各ピン５１６は、取り外し及び／又は取り付けの間にピン５１６を把持するのを支援するための表面構造又は表面粗さ５３６を有している端又は部分を備える。表面構造５３６を有する部分は、取り付けの間の過度の挿入を防止するために、ピン５１６の残りの部分より大きい断面直径も有し得る。各ピン５１６は周囲の溝５３８も備え得る。溝５３８は、適切な挿入の指示を提供するために、及び／又は、セルフアセンブリに続いてピン５１６を保持するのを支援するために、エンドキャップ５２８又は搭載ブラケット３２（図６６参照）の突起又は部材（図示省略）を任意選択的に受容できる、又は、その突起又は部材と任意選択的に係合できる。図示した実施形態では、各ピン５１６は、出荷の間、又は、脚セルフアセンブリシステム５０２が箱４０４から取り出されるとき、エンドキャップ５２８ａ、５２８ｂ内に配置される。他の実施形態では、ピン５１６は、任意の適切な手法で箱４０４内に保管又は収容されてもよい（例えば、封止されたプラスチックバッグなど、箱４０４内に包装で収容されてもよい）。
【００７５】
図６３は、脚４０ａ、４０ｂに連結された位置合わせ補助具５１２を示す。位置合わせ補助具５１２は、搭載ブラケット３２（図６６参照）との係合を容易にするために、脚４０ａ、４０ｂに取り付けられるとき、脚４０ａ、４０ｂを所定の距離離れた位置に位置決めする長さＬ１を有している。脚４０ａ、４０ｂと搭載ブラケット３２との設置後、位置合わせ補助具５１２は脚４０ａ、４０ｂから取り外される。設置後の意図された取り外しを受取人に知らせるために、位置合わせ補助具５１２は、受取人にセルフアセンブリの後に位置合わせ補助具５１２を取り外すように指示する第２の表示又は取扱説明５４０を備え得る。図示された実施形態では、位置合わせ補助具５１２は、紙又は厚紙から構成され、粘着テープによって脚４０ａ、４０ｂに取り外し可能に取り付けられる。他の実施形態では、位置合わせ補助具５１２は、任意の適切な構造であってもよいし、又は、脚４０ａ、４０ｂの搭載ブラケット３２との位置合わせを容易にする任意の適切な材料から形成されてもよい。例えば、図６４〜図６５は、位置合わせ補助具５１２ａの代替の実施形態を示している。位置合わせ補助具５１２ａは、締まり嵌め又は摩擦嵌めによって、それぞれの脚４０（例えば、脚４０ａ、４０ｂ）を支持する一対の弓形の脚支持通路５４４を備える。位置合わせ補助具５１２ａは、各ピン５１６を各々保持する１つ以上のピン支持通路又はピン支持叉部５４８を備えてもよい。位置合わせ補助具５１２ａは、脚４０及びピン５１６とのスナップフィット連結を形成し、出荷の間の脚４０及びピン５１６の体系化された保管と、組立の間（及び、組立の後に）脚４０及びピン５１６の容易な取り外しと、を容易にする。図示した位置合わせ補助具５１２ａは、プラスチックから形成されているが、他の実施形態では、任意の適切な材料から構成されてもよい。
【００７６】
ここで図６６を参照すると、脚４０ａ、４０ｂの分割体上部３０の搭載ブラケット３２への組立の間の位置合わせ補助具５１２が示されている。搭載ブラケット３２は、エンドキャップ５２８ａ、５２８ｂによって、対応する脚４０ａ、４０ｂを受容するように構成された搭載通路５５２ａ、５５２ｂを画定している。位置合わせ補助具５１２の長さＬ１（図６３参照）は、エンドキャップ５２８ａ、５２８ｂの間の距離が搭載通路５５２ａ、５５２ｂの間の距離と合致するようになる。これによって、受取人は、エンドキャップ５２８ａ、５２８ｂを搭載通路５５２ａ、５５２ｂへと、容易かつ簡単に位置合わせ及び挿入することができる。
【００７７】
各通路５５２ａ、５５２ｂは、通路５５２ａ、５５２ｂの側において対向する開口（図示省略）も備える。対向する開口は、エンドキャップ５２８ａ、５２８ｂがそれぞれの通路５５２ａ、５５２ｂによって受容される時に、各エンドキャップ５２８ａ、５２８ｂを通過してピン開口５３２（図６１に示されている）と位置合わせされる。位置合わせしている時に、脚４０ａ、４０ｂを搭載ブラケット３２に連結して保持するために、ピン５１６は、受取人によって挿入できる。位置合わせ補助具５１２は、受取人によるピン５１６の挿入を容易にするために、対向する開口（図示省略）をピン開口５３２（図６１参照）と位置合わせするのを支援する。脚４０ａ、４０ｂを搭載ブラケット３２に連結することに加えて、各ピン５１６は、（例えば、スタンドアセンブリ２６が格納される第１の構成と、スタンドアセンブリ２６が展開される第２の構成との間の脚４０ａ、４０ｂの回動を容易にするために）脚４０ａ、４０ｂが搭載ブラケット３２に対して回動する回動軸を画定する。
【００７８】
搭載ブラケット３２への脚４０ａ、４０ｂの組立に続いて、受取人は、バネ４１の一部の周りにストラップ５５６を取り付けることができる。図６７に示しているように、ストラップ又は重力ストラップ５５６がゴルフバッグ１０の平坦部１４に取り付けられており、ストラップ又は重力ストラップ５５６は、ストラップ５５６の自己取付を容易にするために、ラッチアセンブリ又はバックル５６０を備える。ストラップ５５６の長さは、使用者の好みに基づいて調節できる。ストラップ５５６をバネ４１の周りで延ばすことで、ストラップ５５６は、ゴルフバッグ１０が使用者によって持ち運ばれるとき（例えば、使用者がショルダーストラップ２４によってゴルフバッグ１０を持ち運んでいるとき）、バネ４１により脚４０ａ、４０ｂを拘束することを支援する。この拘束は、脚４０ａ、４０ｂがゴルフバッグ１０から離れるように垂れ下がる又は延びるのを制限することを支援する（即ち、拘束は、ゴルフバッグ１０が持ち運びされるとき、脚４０ａ、４０ｂを第１の格納構成で維持するのを支援する）。
【００７９】
ここで、図６８〜図７２を参照すると、脚セルフアセンブリシステム５０２との使用のためのエンドキャップ５２８の代替の実施形態が示されている。この実施形態では、エンドキャップ５２８は、スナップフィットによって相互連結する多構成部品エンドキャップ５６４である。エンドキャップ５６４を使用することで、脚セルフアセンブリシステム５０２は、ピン５１６の必要性を排除する。
【００８０】
図６８〜図７２は、多構成部品エンドキャップ５６４の実施形態を示している。エンドキャップ５６４は、第１の部品又は第１の部分５６８と、第２の部品又は第２の部分５７２と、を備える。脚セルフアセンブリシステム５０２で使用される時、第１の部品５６８は、例えば、脚４０を第１の構成と第２の構成との間で延ばすことを可能にする回動軸を画定し、対向する開口５７６ａ、５７６ｂによって、搭載ブラケット３２に予め取り付けられる。第２の部品５７２は、各脚４０に予め取り付けられており、例えば、各脚４０は、第２の部品５７２から延びる突起５８０を受容し得る。さらに、各脚４０は、第２の部品５７２によって画定される凹部５８４によって部分的に受容されてもよい。突起５８０は、交差又はプラスの断面の形状を有するとして示されているが、他の実施形態では、突起５８０は、脚４０との係合を容易にするために、任意の適切な形状を有してもよい。また、第２の部品５７２の図示した実施形態は、脚４０との摩擦嵌め又は締まり嵌めを提供しているが、各脚４０を各第２の部品５７２と保持するための任意の適切な連結又は係合が使用され得る。
【００８１】
セルフアセンブリの間において、各脚４０を搭載ブラケット３２に取り付けるために、受取人は、第２の部品５７２を第１の部品５６８に連結する。連結を容易にするために、多構成部品エンドキャップ５６４はスナップフィットアセンブリ５８４（図６９参照）を備える。図示した実施形態では、第２の部品５７２は、第１の部品５６８（図７０〜図７１参照）内に配置された関連する戻り止め５９２と係合して戻り止め５９２によって保持される大きさとされた少なくとも１つの可撓性の止め具５８８（図６９〜図７０参照）を備える。第１の部品５６８及び第２の部品５７２がスナップフィットアセンブリ５８４によって取り付けられると、脚４０は搭載ブラケット３２に取り付けられる（図７２参照）。
【００８２】
図７３〜図７５は、バネ４１を各脚４０ａ、４０ｂに取り付けるブラケット６００の実施形態を示している。ブラケット６００は、脚４０ａ又は４０ｂを受容するように構成された脚受容通路６０４を備え、各脚４０ａ、４０ｂへのブラケット６００の搭載を容易にする。ブラケット６００は、バネ４１の一部を受容するように構成されたバネ受容通路６０８も備え、バネ４１を各脚４０ａ、４０ｂに取り付ける。図示した実施形態では、バネ受容通路６０８は、脚受容通路６０４からオフセットされており、脚受容通路６０４に対して略垂直である。ブラケット６００は、ブラケット６００の外面に弓形の突起又は緩衝器６１２を備えている。図７３に示すように、緩衝器６１２は、脚４０ａ、４０ｂをバネ４１から分離させ、より具体的には、脚４０ａ、４０ｂをバネ４１及び平坦部１４（図７３に示されていないが、図１に示されている）からオフセットさせることができる。脚４０ａ、４０ｂを、各ブラケット６００における緩衝器６１２によってバネ４１からオフセットして配置することで、脚４０ａ、４０ｂは、第１の構成（スタンドアセンブリ２６が格納されている）から第２の構成（スタンドアセンブリ２６が伸長されている）への脚４０ａ、４０ｂの展開の間、バネ４１と絡まることがない。
【００８３】
図７６は、セルフアセンブリシステム５００によってゴルフバッグをセルフアセンブリする方法７００の例を示している。方法は、受取人によって実行される一連の組立ステップを含んでおり、ステップは、流れ図の形態で描写されている。方法のステップは例として提供されており、方法７００は、開示されたステップのすべてより少なくてもよいことは理解されるべきである。方法７００は、受取人がセルフアセンブリキット４００を受け取るステップ７０２において開始する。セルフアセンブリキット４００は、折り畳み式ゴルフバッグ１０と、セルフアセンブリシステム５００と、を備える。セルフアセンブリキット４００は、箱４０４によって受取人へと配達され得る。
【００８４】
次に、ステップ７０４において、受取人は、（その折り畳み形態において）ゴルフバッグ１０とセルフアセンブリシステム５００とを、セルフアセンブリキット４００から取り出す。例えば、受取人は、ゴルフバッグ１０を箱４０４の外に取り出す。受取人は、表示４２０（又は、組立についての取扱説明）を読み取り可能な向きに向けてもよい。
【００８５】
ステップ７０６において、受取人は、（上部支柱ヒンジ１６２によって）分割体上部３０を支柱３９の周りに回動させ、（基部支柱ヒンジ１７０によって）基部３４を支柱３９の周りに回動させる。これにより、ゴルフバッグ１０を折り畳み状態から展開状態へと変換する。
【００８６】
ステップ７０８において、受取人はバネセルフアセンブリシステム５０１をゴルフバッグ１０に組み込む。より具体的には、受取人は、（例えば、開口５２０内に基部係合フック５０８を配置し、同時に、フック５０８によって画定された通路に部材５２４を受容させることによって）バネ連結器５０４を基部３４に連結する。
【００８７】
ステップ７１０において、受取人は脚セルフアセンブリシステム５０２をゴルフバッグ１０に組み込む。
【００８８】
例えば、図６１〜図６６に示した実施形態では、受取人は各ピン５１６をそれぞれのエンドキャップ５２８ａ、５２８ｂ（又は、位置合わせ補助具５１２ａ）から取り外す。次に、受取人は、各エンドキャップ５２８ａ、５２８ｂを、搭載ブラケット３２の搭載通路５５２ａ、５５２ｂのそれぞれと位置合わせする。この位置合わせは、位置合わせ補助具５１２、５１２ａによって容易にされる（又は、簡素化される）。位置合わせされると、受取人は、各ピン５１６を、通路５５２ａ、５５２ｂの側における対向する開口（図示省略）と、エンドキャップ５２８ａ、５２８ｂを通るピン開口５３２と、を通過させて挿入する。そして、受取人は、位置合わせ補助具５１２、５１２ａを脚４０ａ、４０ｂから取り外す。
【００８９】
代替で、図６８〜図７２に示した実施形態では、受取人は、（各脚４０ａ、４０ｂに取り付けられる）多構成部品エンドキャップ５６４の第２の部品５７２を（それぞれの搭載通路５５２ａ、５５２ｂにおける搭載ブラケット３２に取り付けられる）第１の部品５６８のそれぞれに連結する。第１の部品５６８及び第２の部品５７２は、脚４０ａ、４０ｂを搭載ブラケット３２に連結するために、スナップフィットアセンブリ５８４によって一体にスナップフィットされる。
【００９０】
ステップ７１２において、受取人は、バネ４１によって、脚４０ａ、４０ｂを拘束するために、バネ４１の一部の周りにストラップ５５６をバックル留めする。ステップ７１４において、工程は完了し、ゴルフバッグ１０が受取人によって組立てられる。
【００９１】
折り畳み式ゴルフバッグ１０を製作する方法は、サブアセンブリ４２を、平坦部１４、基部３４の端に最初に挿入することを含む。挿入されると、サブアセンブリ４２は平坦部１４に固定される。支柱３９は、平坦部１４においてスリット（図示省略）を通過して挿入され、第１の端において分割体上部３０へと挿入され、反対側の第２の端において基部３４に挿入される。したがって、分割体上部３０及び基部３４は、折り畳み構成へと支柱３９の周りで回動される。そして、この折り畳み構成におけるゴルフバッグ１０は、使用者セルフアセンブリのためのスタンドアセンブリ２６の部分と共に、出荷箱４０４に置かれる。セルフアセンブリのための取扱説明は、出荷箱に含まれ、より具体的には、出荷箱に印刷される。
【００９２】
本明細書で開示されているスナップフィット構成部品を組み込んでいるゴルフバッグ１０は、技術的に知られているゴルフバッグに対して利点を提供する。とりわけ、スナップフィット構成部品を利用することで、製造者は、ゴルフバッグ組立のための機械及び機器の経費を、より少なくすることができる。さらに、スナップフィット構成部品の出荷体積が約３０％〜５０％低減され、出荷の間の包装体積のより効率的な使用を提供し、過大な構成部品又は嵩張る構成部品による過剰な出荷コストを抑制する。また、スナップフィット構成部品は、組立工場において製造者によって組み立てられてもよいし、又は代替で、構成部品は、組立のために最終使用者に直接出荷され得る。さらに、スナップフィット構成部品は、交換可能な部品を提供し、製造者又は最終使用者による摩耗した構成部品の交換、及び、カスタマイズを可能にする。
【００９３】
折り畳み式ゴルフバッグ１０及びセルフアセンブリシステム５００を組み込むゴルフバッグセルフアセンブリキット４００は、技術的に知られているゴルフバッグに対して利点を提供する。とりわけ、折り畳み式ゴルフバッグは、事前に組み立てられたゴルフバッグより縮小された出荷箱の大きさを有する。これは、出荷コスト、特に、箱の大きさ又は体積に基づく出荷コストにおいて、低減をもたらす。また、より少ない材料が、出荷箱を製造するために使用され、製造コストを低減する。さらに、ゴルフバッグの組立を受取人へと移すことによって、製造者が追加の組立コストを被ることはない。折り畳み式ゴルフバッグ及びセルフアセンブリシステムは、明確な組立の取扱説明と、容易に位置合わせされて組み立てられる構成部品とに基づいて、受取人による容易な組立を提供する。これらの利点及び他の利点は、本明細書で開示されているゴルフバッグ、ゴルフバッグセルフアセンブリキット、及びゴルフバッグセルフアセンブリシステムの１つ又は複数の実施形態から実現できる。
（条項１）  ゴルフバッグのためのセルフアセンブリキットであって、
一端においてゴルフバッグ分割体上部に回動可能に連結され、反対側の端においてゴルフバッグ基部に回動可能に連結される支柱を備える折り畳み式ゴルフバッグと、
外側シェルと、
前記ゴルフバッグを折り畳み状態から展開状態へと組立てるためのセルフアセンブリシステムと、
を備えるセルフアセンブリキット。
（条項２）  前記セルフアセンブリシステムは、前記ゴルフバッグに連結される脚を付勢するように構成されるバネを前記ゴルフバッグ基部に組み付けるためのバネセルフアセンブリシステムを備える、条項１に記載のセルフアセンブリキット。
（条項３）  前記バネセルフアセンブリシステムは、一端に配置される連結器を有するバネを備え、
前記連結器は、前記バネを前記基部に取り付けるために、前記基部と係合するように構成される、条項２に記載のセルフアセンブリキット。
（条項４）  前記バネは、複数の前記脚に回動可能に連結される、条項３に記載のセルフアセンブリキット。
（条項５）  前記複数の脚は、前記分割体上部に回動可能に連結される、条項４に記載のセルフアセンブリキット。
（条項６）  前記セルフアセンブリシステムは、複数の脚を前記ゴルフバッグ基部へと組み付けるための脚セルフアセンブリシステムを備える、条項１に記載のセルフアセンブリキット。
（条項７）  前記脚セルフアセンブリシステムは、脚位置合わせ補助体に連結され、前記脚位置合わせ補助体によって離間される複数の脚を備え、
前記複数の脚は、前記分割体上部に係合するように構成される、条項６に記載のセルフアセンブリキット。
（条項８）  前記複数の脚のそれぞれは、エンドキャップを備え、
前記エンドキャップは、取り外し可能なピンを保持する、条項７に記載のセルフアセンブリキット。
（条項９）  前記取り外し可能なピンは、前記エンドキャップが前記分割体上部と連結する前において、前記エンドキャップを係合しておらず、前記エンドキャップが前記分割体上部と連結した後において、前記エンドキャップと前記分割体上部とを再係合するように構成される、条項８に記載のセルフアセンブリキット。
（条項１０）  前記分割体上部は搭載ブラケットを備え、
前記搭載ブラケットは、前記各脚の前記エンドキャップを受容するように構成される複数の搭載通路を画定する、条項９に記載のセルフアセンブリキット。
（条項１１）  前記取り外し可能なピンは、前記エンドキャップが前記搭載通路のそれぞれと連結する前において、前記エンドキャップを係合しておらず、前記エンドキャップが前記搭載ブラケットと連結した後において、前記エンドキャップと前記搭載通路のそれぞれとを再係合するように構成される、条項１０に記載のセルフアセンブリキット。
（条項１２）  前記ピンは、各脚を前記搭載ブラケットに連結する、条項１１に記載のセルフアセンブリキット。
（条項１３）  前記脚セルフアセンブリシステムは、複数の脚を備え、
前記各脚は、多構成部品エンドキャップの第１の部分を備え、
前記第１の部分は、前記搭載ブラケットに連結される前記多構成部品エンドキャップの第２の嵌合部分に連結するように構成される、条項６に記載のセルフアセンブリキット。
（条項１４）  前記多構成部品エンドキャップの前記第２の嵌合部分は、前記搭載ブラケットに回動可能に連結される、条項１３に記載のセルフアセンブリキット。
（条項１５）  前記多構成部品エンドキャップの前記第１の部分と前記第２の部分とが、スナップフィット連結によって連結するように構成される、条項１３に記載のセルフアセンブリキット。
（条項１６）  前記分割体上部は、ヒンジによって前記支柱に回動可能に連結される、条項１に記載のセルフアセンブリキット。
（条項１７）  前記ヒンジは、前記ヒンジの回動距離を制限するヒンジ制限部を備える、条項１６に記載のセルフアセンブリキット。
（条項１８）  前記ヒンジ制限部は、前記ヒンジに連結される前記支柱と前記分割体上部との間に形成される平角を超えないように、前記回動距離を制限するように構成される、条項１７に記載のセルフアセンブリキット。
（条項１９）  前記折り畳み式ゴルフバッグ及び前記セルフアセンブリシステムは、箱に格納されて出荷されるように構成される、条項１に記載のセルフアセンブリキット。
（条項２０）  前記箱は、セルフアセンブリの取扱説明を提供する前記箱に印刷された表示を含む、条項１９に記載のセルフアセンブリキット。
（条項２１）  前記表示は少なくとも１つの図を含む、条項２０に記載のセルフアセンブリキット。
（条項２２）  第１のヒンジによって支柱の第１の端に回動可能に連結される分割体上部、と、
第２のヒンジによって前記支柱の第２の端に回動可能に連結される基部と、
前記分割体上部及び前記基部に連結される外側シェルであって、少なくとも１つのショルダーストラップを備える外側シェルと、
を備え、
前記分割体上部及び前記基部が前記支柱の周りで回動されている折り畳み構成で出荷されるように構成される、折り畳み式ゴルフバッグ。
（条項２３）  前記第１のヒンジは、第２のアームに回動可能に連結される第１のアームを備える、条項２２に記載の折り畳み式ゴルフバッグ。
（条項２４）  前記第１のアームは前記分割体上部に結合され、
前記第２のアームは前記支柱に結合される、条項２３に記載の折り畳み式ゴルフバッグ。
（条項２５）  前記第１のアームは、前記第１のアーム及び前記第２のアームの回動距離を制限するために、前記第２のアームと協働するように構成される、条項２３に記載の折り畳み式ゴルフバッグ。
（条項２６）  前記第１のアームは、前記第２のアームに対する前記第１のアームの回動距離が、前記第１のアームと前記第２のアームとの間で形成される平角を超えないように制限するために、前記第２のアームと協働するように構成される、条項２３に記載の折り畳み式ゴルフバッグ。
（条項２７）  前記第１のアーム又は前記第２のアームの一方は突起を備え、
前記第２のアーム又は及び前記第１のアームの他方は切り欠きを備え、
前記突起は、前記第１のアーム及び前記第２のアームの回動角度を制限するために前記切り欠きを受容するように構成される、条項２３に記載の折り畳み式ゴルフバッグ。
（条項２８）  ゴルフバッグをセルフアセンブリする方法であって、
分割体上部を、第１のヒンジを介して、折り畳み構成から展開構成まで支柱の周りで回動させる第１の回動ステップと、
基部を、第２のヒンジを介して、折り畳み構成から展開構成まで前記支柱の周りで回動させる第２の回動ステップと、
スタンドアセンブリの一部を、搭載ブラケット又は前記基部の一方に取付ける取付けステップと、
を備える、前記ゴルフバッグをセルフアセンブリする方法。
（条項２９）  前記方法は、さらに、
前記第１の回動ステップの前に、折り畳み構成における前記ゴルフバッグを出荷箱から取り出すステップを備える、条項２８に記載の方法。
（条項３０）  前記方法は、さらに、
前記出荷箱に印刷されている組立の取扱説明を、読み取り可能な向きに向けるステップを備える、条項２９に記載の方法。
（条項３１）  前記取付けステップは、さらに、バネを前記基部に結合するステップを備える、条項２８に記載の方法。
（条項３２）  前記取付けステップは、さらに、複数の脚を前記搭載ブラケットに固定するステップを備える、条項２８に記載の方法。
（条項３３）  前記取付けステップは、さらに、
前記複数の脚のうちの少なくとも１つの脚のエンドキャップに保持されるピンを取り外すステップと、
前記エンドキャップを前記搭載ブラケットに位置合わせするステップと、
前記エンドキャップを前記搭載ブラケットに連結させるために、前記ピンを、前記搭載ブラケットの一部と前記エンドキャップの一部とを通過して挿入するステップと、
を備える、条項３２に記載の方法。
（条項３４）  前記ピンは、前記エンドキャップと前記搭載ブラケットとの間に回動可能な連結を形成する、条項３３に記載の方法。
（条項３５）  前記取付けステップは、さらに、
前記複数の脚のうちの少なくとも１つの脚によって保持されるエンドキャップの第１の部分を、前記搭載ブラケットによって担持される前記エンドキャップの第２の部分に位置合わせするステップと、
前記エンドキャップの前記第１の部分を、前記エンドキャップの前記第２の部分に挿入するステップと、
前記エンドキャップの前記第１の部分と前記第２の部分とをスナップフィット連結によって連結するステップと
を備える、条項３２に記載の方法。
（条項３６）  前記方法は、さらに、
前記スタンドアセンブリが備えるバネの周りにおいて、前記ゴルフバッグの外側シェルに結合されるストラップを連結するステップを備える、条項２８に記載の方法。
（条項３７）  折り畳み式ゴルフバッグを製作する方法であって、
サブアセンブリを外側シェルに挿入する挿入ステップであって、前記サブアセンブリは、分割体上部と、基部と、前記分割体上部に結合され、前記基部に向かって延びる分割体スリーブと、を備え、前記分割体スリーブは、前記分割体スリーブに連結される複数の可撓性連結部材によって前記基部に結合され、前記分割体スリーブは、前記基部から延びる下縁を備える、前記挿入ステップと、
支柱が前記分割体上部と前記基部との間で延びるように、前記支柱を前記サブアセンブリに結合する結合ステップであって、前記分割体上部が第１のヒンジによって前記支柱に回動可能に連結されており、前記基部が第２のヒンジによって前記支柱に回動可能に連結されている、前記結合ステップと、
を備える、前記折り畳み式ゴルフバッグを製作する方法。
（条項３８）  前記挿入ステップの後に、前記サブアセンブリを前記外側シェルに固定する固定ステップを備える、条項３７に記載の前記ゴルフバッグを製作する方法。
（条項３９）  前記固定ステップは、さらに、前記基部及び前記分割体上部において、前記サブアセンブリを前記外側シェルに固定するステップを備える、条項３８に記載の前記ゴルフバッグを製作する方法。
（条項４０）  前記折り畳み式ゴルフバッグを製作する方法は、さらに、
折り畳み構成であって、前記分割体上部及び前記基部の一方が前記支柱の周りで回動している前記ゴルフバッグを出荷箱に挿入するステップと、
使用者によるセルフアセンブリのために、スタンドアセンブリを前記出荷箱に挿入するステップと、
を備える、条項３７に記載の前記ゴルフバッグを製作する方法。
（条項４１）  前記折り畳み式ゴルフバッグを製作する方法は、さらに、
使用者によるセルフアセンブリのために、前記出荷箱に取扱説明を含ませるステップを備える、条項４０に記載の前記ゴルフバッグを製作する方法。
（条項４２）  前記折り畳み式ゴルフバッグを製作する方法は、さらに、
使用者によるセルフアセンブリのために、取扱説明を前記出荷箱に印刷するステップを備える、条項４０に記載の前記ゴルフバッグを製作する方法。
（条項４３）  分割体上部と、基部と、を備える折り畳み式のサブアセンブリと、
前記分割体上部の外周に設けられる複数の第１のスナップフィット連結器と、
前記基部の端の反対側の前記分割体上部の端、内側部、及び、外側部を有する平坦部であって、前記分割体上部の端に沿って設けられる複数の第２のスナップフィット連結器を備える、前記平坦部と、
を備え、
前記平坦部は、前記分割体上部の周りの前記複数の第１のスナップフィット連結器を、前記分割体上部の端に沿う前記複数の第２のスナップフィット連結器に嵌合するスナップフィット係合によって、前記サブアセンブリに取り付けられる、ゴルフバッグ。
（条項４４）  前記分割体上部にヒンジ式に連結される支柱をさらに備える、条項４３に記載のゴルフバッグ。
（条項４５）  前記分割体上部は、前記支柱に対して９０度まで回動するように構成される、条項４４に記載のゴルフバッグ。
（条項４６）  前記支柱は、前記基部にヒンジ式に連結される、条項４４に記載のゴルフバッグ。
（条項４７）  前記基部は、前記支柱に対して９０度まで回動するように構成される、条項４６に記載のゴルフバッグ。
（条項４８）  前記ゴルフバッグは、さらに、搭載通路と、前記搭載通路へと延びる保持部材と、を備える脚搭載ブラケットを備え、
前記分割体上部の外側環体は開口を画定し、
さらに、前記外側環体は前記搭載通路に受容され、前記開口は前記保持部材を受容する、条項４３に記載のゴルフバッグ。
（条項４９）  前記脚搭載ブラケットは複数の脚アンカーを備える、条項４８に記載のゴルフバッグ。
（条項５０）  前記ゴルフバッグは、さらに、
前記平坦部に取り外し可能に取り付けられる少なくとも１つのポケットを備える、条項４９に記載のゴルフバッグ。
（条項５１）  前記ゴルフバッグは、さらに、
前記複数の脚アンカーのうちの１つの前記脚アンカーとスナップフィット連結を形成するエンドキャップを備える、条項４９に記載のゴルフバッグ。
（条項５２）  前記エンドキャップは、回動軸を画定する一対の対向する突出部を備え、
前記突出部は、前記エンドキャップと前記脚アンカーとの間にスナップフィット連結を提供するように、前記脚アンカーの搭載部に受容される、条項５１に記載のゴルフバッグ。
（条項５３）  前記平坦部は、少なくとも１つの開口を画定し、
前記少なくとも１つの開口は、前記複数の脚アンカーのうちの１つの脚アンカーを受容するように構成される、条項５２に記載のゴルフバッグ。
（条項５４）  分割体上部であって、前記分割体上部の周囲を画定する外側環体、及び、複数の開口を有する、前記分割体上部と、
搭載通路、及び、前記搭載通路へと延びる複数の保持部材を有する脚搭載ブラケットと、
を備え、
スナップフィット連結を形成するために、前記外側環体が前記搭載通路に受容され、前記複数の開口の各々が前記複数の保持部材のうちの１つを受容する、ゴルフバッグのサブアセンブリ。
（条項５５）  前記脚搭載ブラケットは、前記搭載通路を画定する前部、及び、後部を備え、
前記複数の保持部材のうちの少なくとも１つが、前記前部から前記搭載通路へと延び、前記複数の保持部材の少なくとも１つが、前記後部から前記搭載通路へと延びる、条項５４に記載のサブアセンブリ。
（条項５６）  前記搭載通路は、前記外側環体の形状と相補的な形状を有する、条項５５に記載のサブアセンブリ。
（条項５７）  前記搭載通路は弓形を有する、条項５５に記載のサブアセンブリ。
（条項５８）  前記脚搭載ブラケットは、脚を回動可能に保持するように構成される脚アンカーを備える、条項５５に記載のサブアセンブリ。
（条項５９）  前記脚は、回動軸を画定する一対の対向する突出部を有するエンドキャップを備え、
前記脚アンカーの搭載部は、前記エンドキャップと前記脚アンカーとの間にスナップフィット連結を提供するために、前記突出部を受容するように構成される、条項５８に記載のサブアセンブリ。
（条項６０）  前記脚アンカーの前記搭載部は、前記エンドキャップと前記脚アンカーとの間に回動可能な連結を提供して、前記脚アンカーが前記回動軸の周りで回動することを容易にするために、前記突出部を受容するように構成される、条項５９に記載のサブアセンブリ。
（条項６１）  一対の脚をゴルフバッグに連結するためのスナップフィットブラケットであって、
脚搭載ブラケットであって、前記脚搭載ブラケットの前部に設けられる一対の脚アンカーを有する、前記脚搭載ブラケットと、
一対の脚であって、前記各脚は、回動軸を画定する一対の対向する突出部を有するエンドキャップを備え、前記各脚は、前記エンドキャップと前記脚アンカーとの間にスナップフィット連結を提供するように構成される、前記一対の脚と、
を備えるスナップフィットブラケット。
（条項６２）  前記スナップフィットブラケットは、さらに、
前記各脚アンカーに設けられる搭載部を備え、
前記各脚アンカーの前記搭載部は、前記エンドキャップと前記脚アンカーとの間に回動可能な連結を提供して、前記脚アンカーが前記回動軸の周りで回動することを容易にするために、前記突出部を受容するように構成される、条項６１に記載のスナップフィットブラケット。
（条項６３）  前記各脚アンカーの前記搭載部は、前記エンドキャップと前記脚アンカーとの間にスナップフィット連結を提供するために、前記突出部を受容するように構成される、条項６２に記載のスナップフィットブラケット。
（条項６４）  前記搭載部は搭載通路である、条項６３に記載のスナップフィットブラケット。
（条項６５）  前記搭載部は搭載開口である、条項６３に記載のスナップフィットブラケット。
（条項６６）  分割体上部と、周囲を画定する基部と、前記周囲の周りで前記基部を貫通する複数の第１の開口と、を備える折り畳み式のサブアセンブリと、
前記基部の端と反対側の前記分割体上部の端を備える平坦部であって、前記基部の端に沿って前記平坦部を貫通する複数の第２の開口を備える、前記平坦部と、
複数のスナップツリー部材を有する帯片と、を備え、
前記平坦部は、前記第１の開口を前記第２の開口と位置合わせするために、前記基部の一部と重なるように構成され、位置合わせされた前記第１の開口及び前記第２の開口の各々は、前記平坦部を前記基部に結合するために、前記複数のスナップツリー部材のうちの１つの前記スナップツリー部材を受容するように構成される、
ゴルフバッグ。
（条項６７）  前記分割体上部によって画定される周囲を貫通する複数の第３の開口と、
前記分割体上部の端に沿って前記平坦部を貫通する複数の第４の開口と、
複数の第２のスナップツリー部材を有する第２の帯片と、を備え、
前記平坦部は、前記第３の開口を前記第４の開口と位置合わせするために、前記分割体上部の一部と重なるように構成され、位置合わせされた前記第３の開口及び前記第４の開口の各々は、前記平坦部を前記分割体上部に結合するために、前記複数の第２のスナップツリー部材のうちの１つの前記第２のスナップツリー部材を受容するように構成される、条項６６に記載のゴルフバッグ。
（条項６８）  分割体スリーブが、前記分割体上部と前記基部とを相互連結する、条項６６に記載のゴルフバッグ。
（条項６９）  複数の前記第１の開口は、ダイカット開口である、条項６６に記載のゴルフバッグ。
（条項７０）  複数の前記第２の開口は、ダイカット開口である、条項６６に記載のゴルフバッグ。
【図１】
2019107495.tif 000004
【図２】
2019107495.tif 000005
【図３】
2019107495.tif 000006
【図４】
2019107495.tif 000007
【図５】
2019107495.tif 000008
【図６】
2019107495.tif 000009
【図７】
2019107495.tif 000010
【図８】
2019107495.tif 000011
【図９】
2019107495.tif 000012
【図１０】
2019107495.tif 000013
【図１１】
2019107495.tif 000014
【図１２】
2019107495.tif 000015
【図１３】
2019107495.tif 000016
【図１４】
2019107495.tif 000017
【図１５】
2019107495.tif 000018
【図１６】
2019107495.tif 000019
【図１７】
2019107495.tif 000020
【図１８】
2019107495.tif 000021
【図１９】
2019107495.tif 000022
【図２０】
2019107495.tif 000023
【図２１】
2019107495.tif 000024
【図２２】
2019107495.tif 000025
【図２３】
2019107495.tif 000026
【図２４】
2019107495.tif 000027
【図２５】
2019107495.tif 000028
【図２６】
2019107495.tif 000029
【図２７】
2019107495.tif 000030
【図２８】
2019107495.tif 000031
【図２９】
2019107495.tif 000032
【図３０】
2019107495.tif 000033
【図３１】
2019107495.tif 000034
【図３２】
2019107495.tif 000035
【図３３】
2019107495.tif 000036
【図３４】
2019107495.tif 000037
【図３５】
2019107495.tif 000038
【図３６】
2019107495.tif 000039
【図３７】
2019107495.tif 000040
【図３８】
2019107495.tif 000041
【図３９】
2019107495.tif 000042
【図４０】
2019107495.tif 000043
【図４１】
2019107495.tif 000044
【図４２】
2019107495.tif 000045
【図４３】
2019107495.tif 000046
【図４４】
2019107495.tif 000047
【図４５】
2019107495.tif 000048
【図４６】
2019107495.tif 000049
【図４７】
2019107495.tif 000050
【図４８】
2019107495.tif 000051
【図４９】
2019107495.tif 000052
【図５０】
2019107495.tif 000053
【図５１】
2019107495.tif 000054
【図５２】
2019107495.tif 000055
【図５３】
2019107495.tif 000056
【図５４】
2019107495.tif 000057
【図５５】
2019107495.tif 000058
【図５６】
2019107495.tif 000059
【図５７】
2019107495.tif 000060
【図５８】
2019107495.tif 000061
【図５９】
2019107495.tif 000062
【図６０】
2019107495.tif 000063
【図６１】
2019107495.tif 000064
【図６２】
2019107495.tif 000065
【図６３】
2019107495.tif 000066
【図６４】
2019107495.tif 000067
【図６５】
2019107495.tif 000068
【図６６】
2019107495.tif 000069
【図６７】
2019107495.tif 000070
【図６８】
2019107495.tif 000071
【図６９】
2019107495.tif 000072
【図７０】
2019107495.tif 000073
【図７１】
2019107495.tif 000074
【図７２】
2019107495.tif 000075
【図７３】
2019107495.tif 000076
【図７４】
2019107495.tif 000077
【図７５】
2019107495.tif 000078
【図７６】
2019107495.tif 000079
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
ゴルフバッグのためのサブアセンブリであって、
分割体上部と、
基部と、
第２の端の反対の第１の端を有する支柱と、
前記第１の端に結合される第１のヒンジと、
前記第２の端に結合される第２のヒンジと、を備え、
前記支柱は、前記第１のヒンジによって、前記分割体上部にヒンジ式に連結しており、
前記支柱は、前記第２のヒンジによって、前記基部にヒンジ式に連結しており、
前記第１のヒンジは、前記第１のヒンジと前記支柱の間の回動角度を９０度以下に制限するように構成されており、
前記第２のヒンジは、前記第２のヒンジと前記支柱との間の回動角度を９０度以下に制限するように構成されている、サブアセンブリ。
【請求項２】
前記第１の端から前記第２の端までの前記支柱は剛性がある、請求項１に記載のサブアセンブリ。
【請求項３】
前記分割体上部は、前記支柱に対して回動するように構成されており、
前記基部は、前記支柱に対して回動するように構成されている、請求項１に記載のサブアセンブリ。
【請求項４】
前記サブアセンブリは、さらに、前記分割体上部に結合されるスタンドアセンブリを備え、
前記スタンドアセンブリは、少なくとも１つの脚を備える、請求項１に記載のサブアセンブリ。
【請求項５】
前記スタンドアセンブリは、さらに、第１の端が前記基部に結合され、第２の端が前記少なくとも１つの脚に結合されるバネを備える、請求項４に記載のサブアセンブリ。
【請求項６】
前記少なくとも１つの脚は、第１の脚及び第２の脚を備える、請求項４に記載のサブアセンブリ。
【請求項７】
前記スタンドアセンブリは、さらに、前記基部に結合されるバネを備え、
前記バネは、第１のバネ部材及び第２のバネ部材を備え、
前記第１のバネ部材は、前記基部から延びて、前記第１の脚に結合され、
前記第２のバネ部材は、前記基部から延びて、前記第２の脚に結合されている、請求項６に記載のサブアセンブリ。
【請求項８】
前記少なくとも１つの脚は、前記分割体上部に回動可能に連結されている、請求項４に記載のサブアセンブリ。
【請求項９】
前記少なくとも１つの脚は、前記分割体上部に対して、前記少なくとも１つの脚が展開されている第１の構成と、前記少なくとも１つの脚が格納されている第２の構成と、の間を回動するように構成されている、請求項８に記載のサブアセンブリ。
【請求項１０】
前記サブアセンブリは、さらに、前記分割体上部に結合され、前記分割体上部から前記基部に向かって延びる分割体スリーブを備える、請求項１に記載のサブアセンブリ。
【請求項１１】
ゴルフバッグであって、
折り畳み式のサブアセンブリを備え、
前記サブアセンブリは、
外側環体を有する分割体上部と、
側壁を有する基部と、
支柱であって、前記支柱の第１の端に第１のヒンジが結合されており、前記支柱の反対側の第２の端に第２のヒンジが結合されている、前記支柱と、を備え、
前記分割体上部は、前記第１のヒンジに結合されており、
前記基部は、前記第２のヒンジに結合されており、
前記分割体上部は、前記第１のヒンジを介して、前記支柱に対して回動するように構成されており、
前記基部は、前記第２のヒンジを介して、前記支柱に対して回動するように構成されており、
前記分割体上部及び前記基部は、前記分割体上部の前記外側環体と前記基部の前記側壁が、前記支柱によって相互連結されており、前記支柱に対して垂直である折り畳み構成と、前記分割体上部の前記外側環体と前記基部の前記側壁が、前記支柱によって相互連結されており、前記支柱に対して平行である展開構成と、の間を回動するように構成されている、
ゴルフバッグ。
【請求項１２】
前記ゴルフバッグは、さらに、前記サブアセンブリに結合するように構成されている平坦部を備える、請求項１１に記載のゴルフバッグ。
【請求項１３】
前記平坦部は、基部端の反対の分割体上部端を備え、
前記分割体上部端は、前記分割体上部に結合するように構成されており、
前記基部端は、前記基部に結合するように構成されている、請求項１２に記載のゴルフバッグ。
【請求項１４】
前記支柱は、前記第１の端から前記第２の端まで剛性である、請求項１１に記載のゴルフバッグ。
【請求項１５】
前記ゴルフバッグは、さらに、前記分割体上部に結合されるスタンドアセンブリを備え、
前記スタンドアセンブリは、第１の脚及び第２の脚を備える、請求項１１に記載のゴルフバッグ。
【請求項１６】
前記ゴルフバッグは、さらに、第１のバネ部材及び第２のバネ部材を備えるばねアセンブリを備え、
前記第１のバネ部材は、前記基部から延びて、前記第１の脚に結合され、
前記第２のバネ部材は、前記基部から延びて、前記第２の脚に結合されている、請求項１５に記載のゴルフバッグ。
【請求項１７】
前記ゴルフバッグは、さらに、前記分割体上部に結合される脚搭載ブラケットを備え、
前記脚搭載ブラケットは、第１の脚アンカー及び第２の脚アンカーを備え、
前記第１の脚は、回動可能に前記第１の脚アンカーに結合されており、
前記第２の脚は、回動可能に前記第２の脚アンカーに結合されている、請求項１５に記載のゴルフバッグ。
【請求項１８】
前記ゴルフバッグは、さらに、第１の脚アンカー及び第２の脚アンカーを備え、
前記第１の脚アンカー及び前記第２の脚アンカーのそれぞれは前記分割体上部に結合され、
前記第１の脚は、回動可能に前記第１の脚アンカーに結合されており、
前記第２の脚は、回動可能に前記第２の脚アンカーに結合されている、請求項１５に記載のゴルフバッグ。
【請求項１９】
折り畳み式ゴルフバッグキットであって、
サブアセンブリであって、
分割体上部と、
基部と、
支柱であって、第１の端及び第２の端を備え、前記第１の端に第１のヒンジが結合されており、前記第２の端に第２のヒンジが結合されており、前記第１のヒンジがさらに前記分割体上部に結合されており、前記第２のヒンジがさらに前記基部に結合されている、前記支柱と、
を備える前記サブアセンブリと、
基部端の反対側の分割体上部端を有する平坦部であって、前記分割体上部に結合するように構成されている前記分割体上部端と前記基部に結合するように構成されている前記基部端とを介して、前記サブアセンブリに結合するように構成されている前記平坦部と、
一対の脚及びバネアセンブリを備えるスタンドアセンブリであって、前記一対の脚は、前記分割体上部に結合するように構成されており、前記バネアセンブリは、前記基部に結合するように構成されており、前記サブアセンブリは、前記分割体上部が前記支柱に対して回動し、前記基部が前記支柱に対して回動し、前記スタンドアセンブリが前記サブアセンブリから取り外されることで出荷構成になるように構成されている、前記スタンドアセンブリと、
を備える、折り畳み式ゴルフバッグキット。
【外国語明細書】
2019107495000001.pdf
2019107495000002.pdf
2019107495000003.pdf
2019107495000004.pdf